(57)【要約】      （修正有）【課題】引戸の厚み変化に対応できる引手を提供する。【解決手段】引手本体ハーフセグメント１０Ｌ、１０Ｒと、引寄せガイドハーフセグメント１１Ｌ、１１Ｒと、引戸Ｄの前方からねじ込み固定されるタッピングネジ１３と、左右対称な引寄せ傾斜片３１を備え平・底面視のチャンネル形として、そのタッピングネジ１３に遊合されるフロント押え座金Ｆと、前方から施蓋するフロント化粧カバーとから成り、タッピングネジ１３を前方から螺進操作するに連れて、そのフロント押え座金Ｆの両引寄せ傾斜片３１が引寄せガイドハーフセグメント１０Ｌ、１０Ｒの対応的な受圧傾斜面２８を、直交する方向から加圧する分力Ｚにより、引手本体ハーフセグメント１０Ｌ、１０Ｒをその左右対称な軸線上へ自づと引き寄せ一体化するように設定した。【選択図】図２７
2019070251.tif 000002
【特許請求の範囲】
【請求項１】
木質系引戸の木口面に切り欠かれたコ字形溝へ嵌め込み設置される引手であって、
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、左右対称な引寄せ傾斜片を備えた平・底面視のチャンネル形として、そのタッピングネジに遊合されるフロント押え座金と、上記引手本体ハーフセグメント同士の左右相互間隙を前方から施蓋するフロント化粧カバーとから成り、
上記左右対称な引寄せガイドハーフセグメントの両前面を上記フロント押え座金の両引寄せ傾斜片により加圧される受圧傾斜面として対応形成し、
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメント同士をその左右対称な軸線上へ自づと引き寄せ一体化して、全体的な組立固定状態となるように設定したことを特徴とする引戸用の引手。
【請求項２】
左右対称な一対の引寄せガイドハーフセグメントを引手本体ハーフセグメント同士の向かい合う内側面へ、上下２組付属一体化すると共に、
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させたことを特徴とする請求項１記載の引戸用の引手。
【請求項３】
木質系引戸の木口面に切り欠かれたコ字形溝へ嵌め込み設置される引手であって、
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、そのタッピングネジに遊合されるフロント押え座金と、同じくタッピングネジに螺合されるバック押え座板と、上記引手本体ハーフセグメント同士の左右相互間隙を前方から施蓋するフロント化粧カバーとから成り、
上記フロント押え座金とバック押え座板とを何れも左右対称な引寄せ傾斜片がある平・底面視のチャンネル形として、その前後位置関係での向かい合う形態に対応設置する一方、
上記左右対称な引寄せガイドハーフセグメントの両前面を上記フロント押え座金の両引寄せ傾斜片により加圧される受圧傾斜面として対応形成すると共に、
上記左右対称な引手本体ハーフセグメントの両背後面に、上記バック押え座板の両引寄せ傾斜片により加圧される受圧傾斜面を造形して、
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメントの前側同士をその左右対称な軸線上へ自づと引き寄せ一体化すると同時か又はその直後に、
上記バック押え座板の両引き寄せ傾斜片が両引手本体ハーフセグメントの受圧傾斜面を、その傾斜面と直交する方向から加圧する分力により、同じく引手本体ハーフセグメントの後側同士をその左右対称な軸線上へ自づと引き寄せ一体化して、全体的な組立固定状態となるように設定したことを特徴とする引戸用の引手。
【請求項４】
左右対称な一対の引寄せガイドハーフセグメントを引手本体ハーフセグメント同士の向かい合う内側面へ、上下２組付属一体化すると共に、
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させる一方、
両タッピングネジにおける引寄せガイドハーフセグメントよりも後側位置へ、１個のバック押え座板を螺合させたことを特徴とする請求項２記載の引戸用の引手。
【請求項５】
引手本体ハーフセグメントと引寄せガイドハーフセグメントを各々互いに同じ構成の亜鉛ダイカスト製品とし、その引手本体ハーフセグメントの内側面へ引寄せガイドハーフセグメントを各々かしめリベットや皿ビスなどの固定具によって取り付け固定したことを特徴とする請求項１又は２記載の引戸用の引手。
【請求項６】
フロント押え座金を引寄せガイドハーフセグメントとほぼ同じ背丈寸法として、引手本体ハーフセグメント同士の向かい合う相互間に区画形成されるフロント押え座金収納空間へ、振れ廻りや脱落のおそれなく収納セットしたことを特徴とする請求項１又は２記載の引戸用の引手。
【請求項７】
引手本体ハーフセグメントの外側面に浅い凹段面と、その浅い凹段面の底面中央部から更に陥没する深い凹段面とを形成すると共に、
上記浅い凹段面における底面の上部と下部を、その深い凹段面との相対的に内側面が陥没する凹所として、
その凹所の向かい合う左右一対によりフロント押え座金の収納空間を区画形成することを特徴とする請求項１又は２記載の引戸用の引手。
【請求項８】
引手本体ハーフセグメントの外側面に浅い凹段面と、その浅い凹段面の底面から更に陥没する深い凹段面とを形成して、その浅い凹段面の垂直な縁取り前面部を前方からの引手用掴み操作手挿入口として切り欠くと共に、
上記深い凹段面の垂直な縁取り前面部を引戸閉鎖時に、上記掴み操作手挿入口から戸袋へ挿入される引手用掴み操作手の指先掛止面として残存させる一方、
同じく深い凹段面と浅い凹段面との連続するフラットな垂直の縁取り後面部を、引戸開放時における引き操作手の指先掛止面として機能させるように設定したことを特徴とする請求項１又は２記載の引戸用の引手。
【請求項９】
引手本体ハーフセグメント同士の向かい合う内側面に左右対称な係止爪受け入れ凹溝の上下２組を設ける一方、
フロント化粧カバーの取付脚板から対応位置する上下２組として、後向きに切り起された左右対称な弾性係止爪を、上記係止爪受け入れ凹溝へ抜き差し自在に差し込み係止させて、
そのフロント化粧カバーにより引手本体ハーフセグメント同士の左右相互間隙を前方から施蓋したことを特徴とする請求項１又は２記載の引戸用の引手。
【発明の詳細な説明】
【技術分野】
【０００１】
本発明は木質系引戸の厚み変化に対応できる便利な引手に関する。
【背景技術】
【０００２】
木質系引戸の木口面に切り欠かれたコ字形溝へ嵌め込み設置される引手であって、しかもその引戸が戸袋へ完全な埋没状態に収納されても、これを確実に引き出せる摘まみ部又は押え部のある引手は、特許文献１〜３に記載されている。
【０００３】
そのうち、特許文献３に記載された引手の実施品は図３７（イ）（ロ）（ハ）（ニ）（ホ）から明白となるように、先付け固定用の第１引手本体（１）と後付け固定用の第２引手本体（２）とから成り、その第１引手本体（１）の後端部から内向き（裏向き）に張り出す取付座（３）が、引戸（Ｄ）の木口面に切り欠かれたコ字形溝（Ｇ）内へ左右何れか一方（Ｌ）から差し込まれた上、その背後面（４）へ３本の木ネジ（５）によって先付け固定されるようになっている。
【０００４】
そして、その後第１引手本体（１）の裏側面から内向きに突出する４本のロールピン（６）に対し、第２引手本体（２）の対応的な裏側面に開口分布する４個の差込み孔（７）が、左右何れか残る他方（Ｒ）から圧入されて、先の第１引手本体（１）へ後付け固定されるようになっているため、必要最少限度の部品からすばやく組み立て施工できる利点があると言える。尚、図３７の符号（８）は戸袋から引き出す時の手掛け面を備えた摘まみ部である。
【先行技術文献】
【特許文献】
【０００５】
【特許文献１】特開２０１４−１１８７０１号公報
【特許文献２】特開２００３−２７７７４号公報
【特許文献３】特許第４８４０２３１号公報
【発明の概要】
【発明が解決しようとする課題】
【０００６】
ところが、図３７（イ）（ロ）（ハ）（ニ）（ホ）に記載された引手の実施品では、先付け固定用の第１引手本体（１）に対して後付け固定用の第２引手本体（２）を圧入一体化するようになっており、その操作し直し不可能であるため、例えば引戸の厚み（Ｔ）が３３mmと３６mmとの２種ある場合、これに施工するための引手としても、これらと対応合致する厚み（Ｔ）が異なる２種を作成準備する必要があり、汎用性と量産性に劣る。
【０００７】
また、上記何れの厚み（Ｔ）に作成準備された引手であっても、木質系引戸（Ｄ）が経時的に収縮して、その厚み（Ｔ）の薄く変化した場合、その厚み（Ｔ）の変化に対応・調整することができない。
【０００８】
その引手が引戸（Ｄ）の左右（表裏）両側面から張り出したり、逆に沈没したりして、外観化粧効果を阻害するおそれがあり、その意味から施工上の高い精度を要求されることになるため、甚だ煩らわしい。
【０００９】
このような課題は、特許文献１、２に記載された引手や把手についても、全く同様に言える。
【課題を解決するための手段】
【００１０】
本発明はこのような課題の改良を目的としており、その目的を達成するために、請求項１では木質系引戸の木口面に切り欠かれたコ字形溝へ嵌め込み設置される引手であって、
【００１１】
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、左右対称な引寄せ傾斜片を備えた平・底面視のチャンネル形として、そのタッピングネジに遊合されるフロント押え座金と、上記引手本体ハーフセグメント同士の左右相互間隙を前方から施蓋するフロント化粧カバーとから成り、
【００１２】
上記左右対称な引寄せガイドハーフセグメントの両前面を上記フロント押え座金の両引寄せ傾斜片により加圧される受圧傾斜面として対応形成し、
【００１３】
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメント同士をその左右対称な軸線上へ自づと引き寄せ一体化して、全体的な組立固定状態となるように設定したことを特徴とする。
【００１４】
また、請求項２では左右対称な一対の引寄せガイドハーフセグメントを引手本体ハーフセグメント同士の向かい合う内側面へ、上下２組付属一体化すると共に、
【００１５】
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させたことを特徴とする。
【００１６】
請求項３では同じく木質系引戸の木口面に切り欠かれたコ字形溝へ嵌め込み設置される引手であって、
【００１７】
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、そのタッピングネジに遊合されるフロント押え座金と、同じくタッピングネジに螺合されるバック押え座板と、上記引手本体ハーフセグメント同士の左右相互間隙を前方から施蓋するフロント化粧カバーとから成り、
【００１８】
上記フロント押え座金とバック押え座板とを何れも左右対称な引寄せ傾斜片がある平・底面視のチャンネル形として、その前後位置関係での向かい合う形態に対応設置する一方、
【００１９】
上記左右対称な引寄せガイドハーフセグメントの両前面を上記フロント押え座金の両引寄せ傾斜片により加圧される受圧傾斜面として対応形成すると共に、
【００２０】
上記左右対称な引手本体ハーフセグメントの両背後面に、上記バック押え座板の両引寄せ傾斜片により加圧される受圧傾斜面を造形して、
【００２１】
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメントの前側同士をその左右対称な軸線上へ自づと引き寄せ一体化すると同時か又はその直後に、
【００２２】
上記バック押え座板の両引き寄せ傾斜片が両引手本体ハーフセグメントの受圧傾斜面を、その傾斜面と直交する方向から加圧する分力により、同じく引手本体ハーフセグメントの後側同士をその左右対称な軸線上へ自づと引き寄せ一体化して、全体的な組立固定状態となるように設定したことを特徴とする。
【００２３】
請求項４では左右対称な一対の引寄せガイドハーフセグメントを引手本体ハーフセグメント同士の向かい合う内側面へ、上下２組付属一体化すると共に、
【００２４】
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させる一方、
【００２５】
両タッピングネジにおける引寄せガイドハーフセグメントよりも後側位置へ、１個のバック押え座板を螺合させたことを特徴とする。
【００２６】
請求項５では引手本体ハーフセグメントと引寄せガイドハーフセグメントを各々互いに同じ構成の亜鉛ダイカスト製品とし、その引手本体ハーフセグメントの内側面へ引寄せガイドハーフセグメントを各々かしめリベットや皿ビスなどの固定具によって取り付け固定したことを特徴とする。
【００２７】
請求項６ではフロント押え座金を引寄せガイドハーフセグメントとほぼ同じ背丈寸法として、引手本体ハーフセグメント同士の向かい合う相互間に区画形成されるフロント押え座金収納空間へ、振れ廻りや脱落のおそれなく収納セットしたことを特徴とする。
【００２８】
請求項７では引手本体ハーフセグメントの外側面に浅い凹段面と、その浅い凹段面の底面中央部から更に陥没する深い凹段面とを形成すると共に、
【００２９】
上記浅い凹段面における底面の上部と下部を、その深い凹段面との相対的に内側面が陥没する凹所として、
【００３０】
その凹所の向かい合う左右一対によりフロント押え座金の収納空間を区画形成することを特徴とする。
【００３１】
請求項８では引手本体ハーフセグメントの外側面に浅い凹段面と、その浅い凹段面の底面から更に陥没する深い凹段面とを形成して、その浅い凹段面の垂直な縁取り前面部を前方からの引手用掴み操作手挿入口として切り欠くと共に、
【００３２】
上記深い凹段面の垂直な縁取り前面部を引戸閉鎖時に、上記掴み操作手挿入口から戸袋へ挿入される引手用掴み操作手の指先掛止面として残存させる一方、
【００３３】
同じく深い凹段面と浅い凹段面との連続するフラットな垂直の縁取り後面部を、引戸開放時における引き操作手の指先掛止面として機能させるように設定したことを特徴とする。
【００３４】
更に、請求項９では引手本体ハーフセグメント同士の向かい合う内側面に左右対称な係止爪受け入れ凹溝の上下２組を設ける一方、
【００３５】
フロント化粧カバーの取付脚板から対応位置する上下２組として、後向きに切り起された左右対称な弾性係止爪を、上記係止爪受け入れ凹溝へ抜き差し自在に差し込み係止させて、
【００３６】
そのフロント化粧カバーにより引手本体ハーフセグメント同士の左右相互間隙を前方から施蓋したことを特徴とする。
【発明の効果】
【００３７】
請求項１の構成によれば、引手におけるコ字形溝の背後面へ、前方からタッピングネジ（木ネジ）をねじ込み固定すれば、その螺進するに連れてフロント押え座金の両引寄せ傾斜片により、引寄せガイドハーフセグメント同士と延いては引手本体ハーフセグメント同士を、その左右対称な軸線上へ自づと引き寄せ一体化して、引手自身の全体的な組立固定状態を得られると一挙同時に、その引戸に対する引手の取り付け施工も行える効果がある。
【００３８】
また、上記タッピングネジの螺進操作により一対の引手本体ハーフセグメントを、その左右対称な軸線上へ引き寄せ一体化すれば、引手の縁取りフランジが引戸の左右両側面に挟み付き密着することとなるため、その引戸の厚みに例えば３３mmと３６mmとの相違・変化があっても、更には木質系引戸が経年的に痩せて、その厚みの薄く収縮しても、常に優美な外観化粧効果を保つことができるのである。
【００３９】
その場合、請求項２の構成を採用するならば、左右対称な引寄せガイドハーフセグメントが上下２組あり、タッピングネジも上下一対の２本使用するようになっているため、そき引手自身の組立状態と引戸への取り付け施工状態をますます強固に安定化することができ、耐用性が向上する。
【００４０】
他方、請求項３の構成によれば、フロント押え座金の両引寄せ傾斜片（傾斜二等辺面）が左右対称な引寄せガイドハーフセグメントの両受圧傾斜面を、バック押え座板の両引寄せ傾斜片（傾斜二等辺面）が左右対称な引手本体ハーフセグメントの両受圧傾斜面を、各々その傾斜面と直交する方向から加圧して、その分力により引手本体ハーフセグメントの前側同士と後側同士を、何れもその左右対称な軸線上へ引き寄せ一体化するようになっているため、引手自身の組立とその引戸に対する取り付け施工とを、誰でも円滑に安定良く行え、その正確な完成状態を得られる効果がある。
【００４１】
その場合、特に請求項４の構成を採用するならば、上記左右対称な引寄せガイドハーフセグメントが上下２組あり、タッピングネジも上下一対の２本使用されるようになっているほか、その２本のタッピングネジがバック押え座板と螺合されるようになっているため、請求項３の上記効果を更に一層向上させることができる。
【００４２】
また、請求項５の構成を採用するならば、引手本体ハーフセグメントの左右一対や引寄せガイドハーフセグメントの左右一対を、共通する１個の金型から鋳造することができ、その亜鉛ダイカスト製品としての優れた量産効果を得られる。
【００４３】
請求項６の構成を採用するならば、フロント押え座金を引手本体ハーフセグメントから脱落したり、不正に振れ廻ったりしないように、そのタッピングネジへの通し込み遊合状態に仮組みすることができ、上記施工性の向上に役立つ。
【００４４】
請求項７の構成を採用するならば、引手本体ハーフセグメントの外側面に誰もが手掛けしやすい深い凹段面と、逆な内側面にフロント押え座金の収納空間を区画しやすい凹所とを、極めて合理的に形成できる効果がある。
【００４５】
請求項８の構成を採用するならば、引戸を通路や出入り口の閉鎖時、その戸袋から掴み出すに当り、引手本体ハーフセグメントの外側面における浅い凹段面の垂直な縁取り前面部に切り欠かれた掴み操作手挿入口へ、前方から挿入した掴み操作手の指先を誰でも、深い凹段面の縁取り前面部に残存する指先掛止面へ、容易・円滑に掛け止めて引戸を掴み出せる効果があり、利便性に優れる。
【００４６】
更に、請求項９の構成を採用するならば、左右対称な引手本体ハーフセグメントに上下２組設けられた係止爪受け入れ凹溝へ、フロント化粧カバーの取付脚板から後向きに張り出す弾性係止爪を、前方から抜き差し自在に差し込み係止せて、そのフロント化粧カバーにより引手本体ハーフセグメント同士の左右相互間隙を施蓋化粧できる効果がある。
【図面の簡単な説明】
【００４７】
【図１】本発明の実施形態に係る引手の斜面図である。
【図２】図１の正面図である。
【図３】図２の平面図である。
【図４】図２の背面図である。
【図５】図３の５−５線断面図である。
【図６】引手本体ハーフセグメントを抽出して示す側面図である。
【図７】図６の裏面図である。
【図８】図６の８−８線拡大断面図である。
【図９】図６の９−９線拡大断面図である。
【図１０】引寄せガイドハーフセグメントを抽出して示す側面図である。
【図１１】図１０の平面図である。
【図１２】図１０の正面図である。
【図１３】フロント押え座金を抽出して示す正面図である。
【図１４】図１３の平面図である。
【図１５】図１３の側面図である。
【図１６】バック押え座板を抽出して示す正面図である。
【図１７】図１６の平面図である。
【図１８】図１６の側面図である。
【図１９】フロント化粧カバーを抽出して示す正面図である。
【図２０】図１９の平面図である。
【図２１】図１９の側面図である。
【図２２】アダプターを抽出して示す正面図である。
【図２３】図２２の平面図である。
【図２４】図２２の２４−２４線断面図である。
【図２５】引戸に対する引手の施工順序を示す工程図である。
【図２６】図２５（ホ）を抽出して示す拡大図である。
【図２７】図２５（へ）を抽出して示す拡大図である。
【図２８】図２５（ト）を抽出して示す拡大図である。
【図２９】引手に対するフロント化粧カバーの取付工程を示す斜面図である。
【図３０】同じく取付状態を示す部分拡大正面図である。
【図３１】図３０の３１−３１線断面図である。
【図３２】図３０の３２−３2 線断面図である。
【図３３】厚みが厚い引戸用の引手に対するフロント化粧カバーの取付工程を示す斜面図である。
【図３４】同じく取付状態を示す部分拡大正面図である。
【図３５】図３４の３５−３５線断面図である。
【図３６】図３４の３６−３６線断面図である。
【図３７】従来の引手の施工順序を示す工程図である。
【発明を実施するための形態】
【００４８】
以下、図面に基いて本発明の好適な実施形態を詳述する。その本発明に係る引戸用の引手（Ａ）は図１〜５から明白なように、木質系引戸（Ｄ）の木口面に切り欠かれた側面視のコ字形溝（Ｇ）へ嵌め込み設置されるものとして、その全体的な引手本体（１０）となる左右一対の引手本体ハーフセグメント（１０Ｌ）（１０Ｒ）と、その引手本体ハーフセグメント（１０Ｌ）（１０Ｒ）同士の向かい合う内側面に付属一体化されて、全体的な引寄せガイド（１１）となる左右一対の引寄せガイドハーフセグメント（１１Ｌ）（１１Ｒ）と、引戸（Ｄ）の前方から上記引寄せガイドハーフセグメント（１１Ｌ）（１１Ｒ）同士の左右相互間隙を通じて、その引戸（Ｄ）における上記コ字形溝（Ｇ）の垂直な背後面（１２）へねじ込み固定されるタッピングネジ（木ネジ）（１３）（１３）と、そのタッピングネジ（１３）（１３）の頭部（１３ａ）（１３ａ）が存在する前側位置に遊合されるフロント押え座金（Ｆ）（Ｆ）と、同じくタッピングネジ（１３）（１３）の先端部（１３ｂ）（１３ｂ）が存在する後側位置に螺合されるバック押え座板（Ｂ）と、上記引手本体ハーフセグメント（１０Ｌ）（１０Ｒ）同士の左右相互間隙を前方から施蓋するフロント化粧カバー（１４）とを主要な構成部材として具備しており、その上記タッピングネジ（１３）（１３）の螺進操作によって引手（Ａ）自身の組立と、その引戸（Ｄ）に対する取り付け（施工）とを一挙同時に行えるようになっている。
【００４９】
上記主要な構成部材のうち、先ず引手本体（１０）について具体的に説明すると、これは互いに同じ構成の亜鉛ダイカスト製品である左右対称な一対の引手本体ハーフセグメント（半割り体）（１０Ｌ）（１０Ｒ）から形作られる。その引手本体ハーフセグメント（１０Ｌ）（１０Ｒ）は図６〜９に抽出して示す如く、上下方向（縦）に細長い側面視の長方形をなし、その外側面には浅い凹段面（１５）（１５）と、その底面の中央部から更に陥没する比較的狭小な深い凹段面（１６）（１６）とが形成されている。
【００５０】
その浅い凹段面（１５）（１５）と深い凹段面（１６）（１６）とは何れも上下方向（縦）に細長い側面視の長方形として、外向き開放状態にあることは言うまでもない。その浅い凹段面（１５）（１５）における底面の上部と下部は上記深い凹段面（１６）（１６）との相対的に内側面が陥没する凹所（１７）（１７）の上下対称な一対として、その内向き開放状態の向かい合う左右一対づつにより、フロント押え座金（Ｆ）（Ｆ）の後述する収納空間（Ｓ）（Ｓ）を区画形成できるようになっている。
【００５１】
上記浅い凹段面（１５）（１５）の垂直な縁取り前面部は引手（Ａ）を前方から掴む操作手の挿入口（１８）（１８）として切り欠かれている。（１９）（１９）はその縁取り前面部を切り欠いた結果として、上記浅い凹段面（１５）（１５）の残る３辺から上下方向と後方へ連続的に張り出す縁取りフランジであり、引戸（Ｄ）を左右（横）方向から挟むことができるようになっている。
【００５２】
そして、上記深い凹段面（１６）（１６）の垂直な縁取り前面部は図６、９から明白なように、上記掴み操作手の指先掛止面（２０）（２０）として機能するように言わば残存されており、その引戸（Ｄ）を図外の戸袋から掴み出して、図外の通路や出入り口を閉鎖する時に、その戸袋へ上記掴み操作手の挿入口（１８）（１８）から挿入する掴み操作手の指先を、安定良く掛け止めることができるようになっている。
【００５３】
尚、上記深い凹段面（１６）（１６）と浅い凹段面（１５）（１５）との垂直な縁取り後面部は、連続するフラットな指先掛止面（２１）（２１）として、引戸（Ｄ）を通路や出入り口の閉鎖状態から開放する時に、その引き操作手の指先を安定良く掛け止めることができるようになっている。
【００５４】
他方、上記引手本体ハーフセグメント（１０Ｌ）（１０Ｒ）における内側面の中途部からは図７、８のように、その凹所（１７）（１７）に向かって引寄せガイドハーフセグメント（１１Ｌ）（１１Ｒ）の嵌合用凹凸座（２２）（２２）が張り出されており、ここへ差し込み嵌合される引寄せガイドハーフセグメント（１１Ｌ）（１１Ｒ）が、複数のかしめリベットや皿ビスなどの固定具（２３）（２３）を介して固定一体化されるようになっている。
【００５５】
また、同じく引手本体ハーフセグメント（１０Ｌ）（１０Ｒ）における内側面の前端部からは、やはり凹所（１７）（１７）に向かってフロント化粧カバー（１４）の取り付け用となる断面ほぼ四角形の凸座（２４）（２４）が張り出されている。（２５）（２５）はその凸座（２４）（２４）同士の向かい合う頂面に設けられた係止爪受け入れ凹溝であり、フロント化粧カバー（１４）の後述する取付脚板から切り起された弾性係止爪や、そのフロント化粧カバー（１４）と別個な後述のアダプターから切り起された弾性係止爪が、その係止爪受け入れ凹溝（２５）（２５）へ抜き差し自在に差し込み係止されるようになっている。
【００５６】
更に、上記引手本体ハーフセグメント（１０Ｌ）（１０Ｒ）における内側面の後端部からは、斜め内向きにバック押え座板（Ｂ）の受け止め用となる断面ほぼ直角三角形の凸座（２６）（２６）が張り出されており、その凸座（２６）（２６）同士の向かい合う全体として平・底面視のハ字形をなす斜辺が、バック押え座板（Ｂ）の後述する引寄せ傾斜片によって加圧される受圧傾斜面（２７）（２７）となっている。
【００５７】
その場合、上記引手本体ハーフセグメント（１０Ｌ）（１０Ｒ）の前端部から張り出す凸座（２４）（２４）同士の向かい合う相互間隙は、タッピングネジ（１３）（１３）の出し入れ口として機能するほか、その前端部の凸座（２４）（２４）と中途部の上記凹凸座（２２）（２２）との前後相互間において、上記内側面の向かい合う凹所（１７）（１７）によりフロント押え座金（Ｆ）（Ｆ）の収納空間（Ｓ）（Ｓ）を区画形成している。
【００５８】
その収納空間（Ｓ）（Ｓ）はほぼ直方体形状をなし、ここに収納セットされるフロント押え座金（Ｆ）（Ｆ）は、その空間（Ｓ）（Ｓ）の高さにほぼ対応する背丈寸法（ｈ１）と、その左右相互間隙に対応する幅寸法（ｗ）とを備えた正面視の矩形で、しかも平・底面視の倒立ハ字形（チャンネル形）として、その収納空間（Ｓ）（Ｓ）へ収納セットされた状態にあるフロント押え座金（Ｆ）（Ｆ）が、タッピングネジ（１３）（１３）の通し込みを受ける前の準備段階において、いたずらにガタツキ遊動して、不正な方向や姿勢に傾斜したり、まして脱落したりしないようになっている。
【００５９】
次に、上記引手本体ハーフセグメント（１０Ｌ）（１０Ｒ）の引寄せガイド（１１）について言えば、これも図１０〜１２のような互いに同じ構成の亜鉛ダイカスト製品である左右対称な一対の引寄せガイドハーフセグメント（半割り体）（１１Ｌ）（１１Ｒ）から形作られる。その引寄せガイドハーフセグメント（１１Ｌ）（１１Ｒ）は上記引手本体ハーフセグメント（１０Ｌ）（１０Ｒ）の内側面から張り出す左右対称な一対の凹凸座（２２）（２２）へ、確実に安定良く差し込み嵌合された上、複数のかしめリベットや皿ビスなどの固定具（２３）（２３）によって固定一体化されている。
【００６０】
つまり、引寄せガイドハーフセグメント（１１Ｌ）（１１Ｒ）を受け止め嵌合する上記凹凸座（２２）（２２）は、左右対称な引手本体ハーフセグメント（１０Ｌ）（１０Ｒ）の内側面に上下一対づつとして張り出し形成されているため、その左右対称な凹凸座（２２）（２２）の上下一対づつに合計４個の引寄せガイドハーフセグメント（１１Ｌ）（１１Ｒ）が取り付け固定されることになる。
【００６１】
上記引寄せガイドハーフセグメント（１１Ｌ）（１１Ｒ）の前面はその向かい合う左右一対による全体的な平・底面視の倒立ハ字形をなす受圧傾斜面（２８）（２８）として造形されており、フロント押え座金（Ｆ）（Ｆ）の後述する引寄せ傾斜片によって加圧されるようになっている。
【００６２】
その場合、引寄せガイドハーフセグメント（１１Ｌ）（１１Ｒ）の前面をなす受圧傾斜面（２８）（２８）と、上記引手本体ハーフセグメント（１０Ｌ）（１０Ｒ）の背後面をなす受圧傾斜面（２７）（２７）とは、図３や図２８から確認できるように、その前者が全体的な平・底面視の倒立ハ字形として、後者が全体的な平・底面視のハ字形として、その前後位置関係での向かい合う状態に対応されている。その互いに逆向きの形態として配置されているのである。
【００６３】
（２９）（２９）は上記引寄せガイドハーフセグメント（１１Ｌ）（１１Ｒ）に開口分布された上下一対の取付孔であり、かしめリベットや皿ビスなどの固定具（２３）（２３）を受け入れる。（３０）（３０）は同じく引寄せガイドハーフセグメント（１１Ｌ）（１１Ｒ）における内面の中央部に設けられた円弧状のタッピングネジ逃し入れ凹溝であり、そのタッピングネジ逃し入れ凹溝（３０）（３０）同士の左右相互間隙に上記タッピングネジ（１３）（１３）が通し込まれることとなる。
【００６４】
フロント押え座金（Ｆ）（Ｆ）が引手本体ハーフセグメント（１０Ｌ）（１０Ｒ）の内側面に区画形成された直方体形状の収納空間（Ｓ）（Ｓ）へ、その不正な傾斜姿勢や脱落などのおそれなく収納セットされる旨を説明したが、そのフロント押え座金（Ｆ）（Ｆ）はアルミ押出材から図１３〜１５のような正面視の矩形であって、しかも左右対称の引寄せ傾斜片（傾斜二等辺面）（３１）（３１）を備えた平・底面視の倒立ハ字形（チャンネル形）に成形されており、その引寄せ傾斜片（３１）（３１）によって上記引寄せガイドハーフセグメント（１１Ｌ）（１１Ｒ）の対応的な受圧傾斜面（２８）（２８）を加圧し得るようになっている。（３２）（３２）はそのフロント押え座金（Ｆ）（Ｆ）の中央部に開口形成されたタッピングネジ（１３）（１３）の受け入れ遊合孔（バカ穴）である。
【００６５】
また、先に一言したバック押え座板（Ｂ）もアルミ押出材から図１６〜１８のような左右対称の引寄せ傾斜片（傾斜二等辺面）（３３）（３３）を備えた平・底面視のハ字形（チャンネル形）に成形されており、その引寄せ傾斜片（３３）（３３）によって上記引手本体ハーフセグメント（１０Ｌ）（１０Ｒ）の背後部に造形されている凸座（２６）（２６）の対応的な受圧傾斜面（２７）（２７）を加圧できるようになっている。（３４）（３４）はそのバック押え座板（Ｂ）に開口分布された上下一対の下穴であり、タッピングネジ（１３）（１３）によってタッピング加工されるようになっているが、予じめのネジ孔として加工しておいてもさしつかえない。
【００６６】
その場合、バック押え座板（Ｂ）はフロント押え座金（Ｆ）（Ｆ）と同じアルミ押出材から、そのフロント押え座金（Ｆ）（Ｆ）と同じ幅寸法（ｗ）と高さ（背丈）寸法（ｈ１）を有する正面視の矩形に作成して、量産効果の向上を図っても良いが、図示実施形態のようにフロント押え座金（Ｆ）（Ｆ）を上記引寄せガイドハーフセグメント（１１Ｌ）（１１Ｒ）とほぼ同じ短かい長さ（低い背丈）寸法（ｈ１）の上下一対として作成する一方、バック押え座板（Ｂ）を引手本体ハーフセグメント（１０Ｌ）（１０Ｒ）とほぼ同じ長い長さ（高い背丈）寸法（ｈ２）の１個として作成して、上下一対のタッピングネジ（１３）（１３）と螺合することにより、脱落や分解、振れ廻りなどのおそれがない安定な仮組み状態を得られるようにすると共に、引手本体ハーフセグメント（１０Ｌ）（１０Ｒ）同士の左右相互間隙をそのバック押え座板（Ｂ）によって、後方から施蓋できるように保つことが望ましい。
【００６７】
何れにしても、上記タッピングネジ（１３）（１３）は図２５〜２８に示す如く、引手本体ハーフセグメント（１０Ｌ）（１０Ｒ）における内側面の前端部から張り出すフロント化粧カバー取り付け用凸座（２４）（２４）同士の左右相互間隙から、上記収納空間（Ｓ）（Ｓ）に予じめ収納セットされているフロント押え座金（Ｆ）（Ｆ）の遊合孔（３２）（３２）と、同じく内側面の中途部に付属固定された引寄せガイドハーフセグメント（１１Ｌ）（１１Ｒ）同士の左右相互間隙と、更に内側面の後端部から張り出すバック押え座板受け止め用凸座（２６）（２６）同士の左右相互間隙を各々貫通して、ドライバーなどの回動操作工具（３５）により回動され、上記引戸（Ｄ）におけるコ字形溝（Ｇ）の背後面（１２）へねじ込み固定されることになる。
【００６８】
その際、バック押え座板（Ｂ）は引手本体ハーフセグメント（１０Ｌ）（１０Ｒ）における内側面の後端部から張り出す上記凸座（２６）（２６）の受圧傾斜面（２７）（２７）へ、その引寄せ傾斜片（３３）（３３）を後方から跨がるように当てがった廻り止め状態のもとで、上記タッピングネジ（１３）（１３）の先端部（１３ａ）（１３ａ）による下穴（３４）（３４）のタッピング加工を受け、そのタッピングネジ（１３）（１３）と螺合されることにより、脱落や分解、振れ廻りなどのおそれがない安定な仮組み状態に保たれる。
【００６９】
更に、上記フロント化粧カバー（１４）は引手本体（１０）とほぼ同じ長さ（背丈）寸法として、ステンレス鋼板から断面チャンネル形に折り曲げられており、図１９〜２１のように別個な取付脚板（３６）へ前方から、スポット溶接などによって被着一体化されている。
【００７０】
（３７）は上記引手本体ハーフセグメント（１０Ｌ）（１０Ｒ）における内側面の前端部から張り出すフロント化粧カバー取り付け用凸座（２４）（２４）と対応位置する関係として、そのフロント化粧カバー（１４）の上記取付脚板（３６）から後向きに切り起された左右対称な上下２組の弾性係止爪であり、上記凸座（２４）（２４）の向かい合う係止爪受け入れ凹溝（２５）（２５）へ前方から抜き差し自在に差し込み係止されることになる。
【００７１】
その取付脚板（３６）の係止された状態において、フロント化粧カバー（１４）が上記引手本体ハーフセグメント（１０Ｌ）（１０Ｒ）同士の向かい合う左右相互間隙を施蓋するのである。
【００７２】
引戸（Ｄ）における厚み（Ｔ）との関係において、上記引手本体ハーフセグメント（１０Ｌ）（１０Ｒ）同士の向かい合う左右相互間隙が広くなる場合には、図２２〜２４のような鋼板から張出しフランジ（３８）付きの四角なハット形に作成されたアダプター（３９）を用意し、そのアダプター（３９）の向かい合うフラットな側面から切り起された一対の弾性係止爪（４０）を、上記引手本体ハーフセグメント（１０Ｌ）（１０Ｒ）における凸座（２４）（２４）の向かい合う係止爪受け入れ凹溝（２５）（２５）へ、前方から抜き差し自在に差し込み係止させる。
【００７３】
そして、そのアダプター（３９）の残る向かい合うフラットな側面に開口形成された一対の角窓（４１）へ、その四角なハット形の内部から上記フロント化粧カバー（１４）における取付脚板（３６）の弾性係止爪（３７）を、やはり抜き差し自在に差し込み係止させて、そのフロント化粧カバー（１４）により引手本体ハーフセグメント（１０Ｌ）（１０Ｒ）の向かい合う左右相互間隙を施蓋すれば良い。
【００７４】
上記構成を備えた引手（Ａ）の施工（組立）法は、次のとおりである。
【００７５】
即ち、引戸（Ｄ）に対する上記引手（Ａ）の施工（組立）順序を図２５に基いて説明すると、その図２５（イ）（ロ）（ハ）は言わば予備工程を示しており、引手本体ハーフセグメント（１０Ｌ）（１０Ｒ）における内側面の中途部から張り出す凹凸座（２２）（２２）には、引寄せガイドハーフセグメント（１１Ｌ）（１１Ｒ）が付属一体化されているため、その付属状態にある引手本体ハーフセグメント（１０Ｌ）（１０Ｒ）の左右対称な一対を、図２５（イ）から（ロ）のように向かい合わせて、その内側面の凹所（１７）（１７）により区画形成されるフロント押え座金用収納空間（Ｓ）へ、フロント押え座金（Ｆ）を不正な姿勢や脱落などのおそれがない状態に収納セットする一方、同じく引手本体ハーフセグメント（１０Ｌ）（１０Ｒ）における内側面の後端部から張り出す凸座（２６）（２６）へ、その背後からバック押え座板（Ｂ）を跨がる状態に当てがいセットする。
【００７６】
そして、図２５（ロ）から（ハ）のように、前方からタッピングネジ（１３）をフロント押え座金（Ｆ）の遊合孔（バカ穴）（３２）と、引寄せガイドハーフセグメント（１１Ｌ）（１１Ｒ）の向かい合う左右相互間隙並びに上記凸座（２６）（２６）同士の向かい合う左右相互間隙に通し込み、そのタッピングネジ（１３）の先端部（１３ａ）によりバック押え座板（Ｂ）の下穴（３４）をタッピング加工して、そのバック押え座板（Ｂ）がタッピングネジ（１３）から分解・脱落したり、振れ廻ったりしない安定な仮組み状態に保つ。
【００７７】
このような予備の仮組みは生産工場において行い、その言わばバラバラにならない状態として梱包し、出荷することが好ましいが、その分解状態での出荷後施工する前に、その施工業者が仮組みを行ってもさしつかえない。
【００７８】
上記した予備の仮組み状態では、引手本体ハーフセグメント（１０Ｌ）（１０Ｒ）から張り出す縁取りフランジ（１９）（１９）同士の向かい合う開口幅（引手の幅）（ｄ）が、引戸（Ｄ）の厚み（Ｔ）よりも広大な寸法になっており、その引手本体ハーフセグメント（１０Ｌ）（１０Ｒ）同士は或る程度の左右相互間隙（ｃ）を保つ離隔状態にある。
【００７９】
今、上記引戸（Ｄ）の厚み（Ｔ）を一例である３３mmとして、これに引手（Ａ）を取り付け施工するに当っては、先ず図２５（ハ）のような仮組み状態にあるタッピングネジ（１３）を、前方から回動操作工具（３５）により緩める方向へ回動して、その先端部（１３ａ）をこれからバック押え座板（Ｂ）が抜け落ちない程度まで、一旦前方へ螺退させた上、図２５（ニ）のようにそのタッピングネジ（１３）の先端部（１３ａ）とバック押え座板（Ｂ）を、引戸（Ｄ）におけるコ字形溝（Ｇ）の垂直な背後面（１２）へ押し当てる如く位置決めする。
【００８０】
そして、その図２５（ニ）の位置状態から同図（ホ）のように、上記タッピングネジ（１３）をやはり前方から締める方向へ回動して、後方へ螺進操作する。そうすれば、図２６、２７の拡大図に示す如く、その後方（Ｐ）への螺進作用に連れて、タッピングネジ（１３）に遊合されているフロント押え座金（Ｆ）の引寄せ傾斜片（傾斜二等辺面）（３１）（３１）が、引手本体ハーフセグメント（１０Ｌ）（１０Ｒ）に付属一体化されている引寄せガイドハーフセグメント（１１Ｌ）（１１Ｒ）へ跨がる状態となって、その引寄せガイドハーフセグメント（１１Ｌ）（１１Ｒ）の受圧傾斜面（２８）（２８）をこれと直交する方向から加圧作用し、その分力（Ｚ）（Ｚ）により引寄せガイドハーフセグメント（１１Ｌ）（１１Ｒ）と延いては引手本体ハーフセグメント（１０Ｌ）（１０Ｒ）の就中前側が、図２５（ヘ）やその拡大図である図２７のように、その左右対称な軸線上へ自づと引き寄せ一体化される。
【００８１】
また、前方から引手本体ハーフセグメント（１０Ｌ）（１０Ｒ）の上記凸座（２６）（２６）により押圧されたバック押え座板（Ｂ）が、上記引戸（Ｄ）におけるコ字形溝（Ｇ）の背後面（１２）に受け止められ、その全然遊動しないように拘束された固定状態のもとで、タッピングネジ（１３）を更に後方（Ｐ）へ強く螺進操作すると、上記フロント押え座金（Ｆ）との言わば逆向き形態にあるバック押え座板（Ｂ）の引寄せ傾斜片（傾斜二等辺面）（３３）（３３）が、図２７に示す如く、引手本体ハーフセグメント（１０Ｌ）（１０Ｒ）の背後部にある凸座（２６）（２６）の受圧傾斜面（２７）（２７）を逆な後方から加圧することになり、その受圧傾斜面（２７）（２７）をこれと直交する方向から押圧作用する分力（Ｚ）（Ｚ）によって、上記引手本体ハーフセグメント（１０Ｌ）（１０Ｒ）の就中後側もその左右対称な軸線上へ自づと引き寄せ一体化されるのである。
【００８２】
尚、バック押え座板（Ｂ）の引寄せ傾斜片（３３）（３３）によって引手本体ハーフセグメント（１０Ｌ）（１０Ｒ）の後側を引き寄せる作用は、フロント押え座金（Ｆ）の引寄せ傾斜片（３１）（３１）によって引手本体ハーフセグメント（１０Ｌ）（１０Ｒ）の前側を引き寄せる作用と同時に行われることもある。
【００８３】
図２５（ヘ）と図２７は上記引手本体ハーフセグメント（１０Ｌ）（１０Ｒ）の引き寄せ完了状態を示しており、この状態ではその引手本体ハーフセグメント（１０Ｌ）（１０Ｒ）から張り出す縁取りフランジ（１９）（１９）が、引戸（Ｄ）を左右（横）方向から挟む如くその左右両側面に密着することとなる。これを換言すれば、引手本体ハーフセグメント（１０Ｌ）（１０Ｒ）の縁取りフランジ（１９）（１９）が引戸（Ｄ）の左右両側面に挟み付き密着するまで、タッピングネジ（１３）を後方（Ｐ）へ螺進操作すれば良いのである。
【００８４】
また、引手本体ハーフセグメント（１０Ｌ）（１０Ｒ）の仮組み当初において、その左右相互間に存在していた間隙（ｃ）は、図２５（へ）の引き寄せ完了時に狭小となるが、その前方へ見苦しく露呈することに変りはない。そのため、最後に図２５（ヘ）の状態から上記タッピングネジ（１３）の回動操作工具（３５）を前方へ抜き出して、その引手本体ハーフセグメント（１０Ｌ）（１０Ｒ）における内側面の前端部から張り出す凸座（２４）（２４）同士の向かい合う係止爪受け入れ凹溝（２５）（２５）へ、別個なフロント化粧カバー（１４）の取付脚板（３６）から後向きに切り起されている弾性係止爪（３７）（３７）を、図２５（ト）や図２８〜３２のように前方から差し込み係止させて、そのフロント化粧カバー（１４）により引手本体ハーフセグメント（１０Ｌ）（１０Ｒ）同士の左右相互間隙（ｃ）を施蓋するのである。
【００８５】
図示実施形態の場合、左右対称な引手本体ハーフセグメント（１０Ｌ）（１０Ｒ）の各個における外側面の中央部が、外向き開放する深い凹段面（１６）（１６）として陥没しており、その上部と下部が逆な内側面の内向きに開放する凹所（１７）（１７）の上下一対として、相対的に陥没している。
【００８６】
そして、その内側面における上下一対の凹所（１７）（１７）にフロント化粧カバー取り付け用凸座（２４）（２４）と引寄せガイドハーフセグメント嵌合用凹凸座（２２）（２２）とが各々設けられており、その凹凸座（２２）（２２）に付属固定された引寄せガイドハーフセグメント（１１Ｌ）（１１Ｒ）と、上記凸座（２４）（２４）との前後相互間が、フロント押え座金（Ｆ）の収納空間（Ｓ）として区画形成されていると共に、その空間（Ｓ）に収納セットされたフロント押え座金（Ｆ）が、タッピングネジ（１３）と遊合するようになっている。
【００８７】
つまり、左右対称な引手本体ハーフセグメント（１０Ｌ）（１０Ｒ）の向かい合う凹所（１７）（１７）により区画形成されるフロント押え座金用収納空間（Ｓ）は上下一対あり、その収納空間（Ｓ）に収納セットされるフロント押え座金（Ｆ）と、これに遊合されるタッピングネジ（１３）も上下一対づつあるため、図２５（ハ）の予備的な引手（Ａ）の仮組み状態から、図２５（ヘ）や図２７の引き寄せ完了するまでの一連の操作は、その上下一対の１回づつ合計２回行われることになり，その後フロント化粧カバー（１４）が取り付けられることは、言うまでもない。
【００８８】
図２８は図２５（ト）の拡大図、図３０は図２８の正面図、図３１、３２は図３０の３１−３１線断面図と３２−３２線断面図であって、上記厚み（Ｔ）が３３mmの引戸（Ｄ）に対する引手（Ａ）の取り付け（施工）状態を示しているが、これと対応する図３４〜３６に、厚み（Ｔ）が例えば３６mmの引戸（Ｄ）に対する同じ引手（Ａ）の取り付け（施工）状態を示す。
【００８９】
その図３０〜３２と図３４〜３６との対比から明白なように、引戸（Ｄ）の厚み（Ｔ）が厚くなる程、その引き寄せ完了状態における引手本体ハーフセグメント（１０Ｌ）（１０Ｒ）同士の左右相互間隙（ｃ）は広くなるが、そのフロント押え座金（Ｆ）の引寄せ傾斜片（３１）（３１）が引寄せガイドハーフセグメント（１１Ｌ）（１１Ｒ）の受圧傾斜面（２８）（２８）を、バック押え座板（Ｂ）の引寄せ傾斜片（３３）（３３）が引手本体ハーフセグメント（１０Ｌ）（１０Ｒ）における凸座（２６）（２６）の受圧傾斜面（２７）（２７）を、各々何れもその受圧傾斜面（２８）（２８）（２７）（２７）を直交する方向から加圧する分力（Ｚ）（Ｚ）によって、左右対称な軸線上へ自づと引き寄せ一体化することができるため、その同じ構成の引手（Ａ）を厚み（Ｔ）の厚く又は薄く相違・変化する引戸（Ｄ）に対して、支障なく適用し得る汎用性がある。
【００９０】
引手（Ａ）の取り付け使用中にある木質系引戸（Ｄ）が経年的に収縮して、その厚み（Ｔ）の薄く変化した場合には、その引手（Ａ）から上記フロント化粧カバー（１４）を一旦取りはずして、前方から上記タッピングネジ（木ネジ）（１３）（１３）を増し締めすれば良い。そうすれば、その引手（Ａ）の縁取りフランジ（１９）（１９）が引戸（Ｄ）の左右両側面に挟み付き密着するため、再度取り付けるフロント化粧カバー（１４）とも相俟って、その優れた外観化粧効果を維持することができる。
【００９１】
上記厚み（Ｔ）が３６mmの比較的厚い引戸（Ｄ）に対する引手（Ａ）の施工状態では、最後に別途用意されているアダプター（３９）の弾性係止爪（４０）を、引手本体ハーフセグメント（１０Ｌ）（１０Ｒ）におけるフロント化粧カバー取付け用凸座（２４）（２４）の向かい合う係止爪受け入れ凹溝（２５）（２５）へ、図３３〜３６のように前方から差し込み係止させた上、そのアダプター（３９）の角窓（４１）へ引き続き上記フロント化粧カバー（１４）の取付脚板（３６）から張り出す弾性係止爪（３７）を、やはり前方から差し込み係止させて、そのフロント化粧カバー（１４）により引手本体ハーフセグメント（１０Ｌ）（１０Ｒ）の左右相互間隙（ｃ）を施蓋するのである。
【００９２】
何れにしても、上記したようにタッピングネジ（１３）を前方から螺進操作して、引手本体ハーフセグメント（１０Ｌ）（１０Ｒ）をその左右対称な軸線上へ引き寄せ一体化すれば、その引手（Ａ）としての全体的な組立固定状態を達成できると一挙同時に、その引手（Ａ）を引戸（Ｄ）のコ字形溝（Ｇ）へ嵌め込み設置できる施工も行えるのである。
【００９３】
また、引手本体ハーフセグメント（１０Ｌ）（１０Ｒ）の左右対称な一対と、引寄せガイドハーフセグメント（１１Ｌ）（１１Ｒ）の左右対称な一対は、その何れも互いに同じ構成として、共通する１個の金型から鋳造できる亜鉛ダイカスト製品であるため、引手（Ａ）の量産性と施工性に著しく優れる。
【００９４】
更に言えば、左右対称な引手本体ハーフセグメント（１０Ｌ）（１０Ｒ）における外側面の中央部が深い凹段面（１６）（１６）として陥没しており、その上部と下部が逆な内側面の相対的に陥没する凹所（１７）（１７）の上下一対づつとして振り分け配置されているため、引戸（Ｄ）を戸袋から掴み出す操作手の指先を、その深い凹段面（１６）（１６）の上記指先掛止面（２０）（２０）へ誰でも容易・確実に掛け止め使用することができる。
【００９５】
しかも、その上下一対づつの凹所（１７）（１７）には嵌合用凹凸座（２２）（２２）を介して、引寄せガイドハーフセグメント（１１Ｌ）（１１Ｒ）が付属固定されており、その引寄せガイドハーフセグメント（１１Ｌ）（１１Ｒ）を直接引き寄せるフロント押え座金（Ｆ）（Ｆ）と、これに通し込み遊合されるタッピングネジ（１３）（１３）も各々上下一対づつ設置されているため、引手（Ａ）自身の高精度な組立状態を得られ、その引手（Ａ）を引戸（Ｄ）へ強固に安定良く取り付けることができるのであり、耐用性にも著しく優れる。
【符号の説明】
【００９６】
（１０）・引手本体
（１０Ｌ）（１０Ｒ）・引手本体ハーフセグメント
（１１）・引寄せガイド
（１１Ｌ）（１１Ｒ）・引寄せガイドハーフセグメント
（１２）・背後面
（１３）・タッピングネジ
（１３ａ）・頭部
（１３ｂ）・先端部
（１４）・フロント化粧カバー
（１５）・浅い凹段面
（１６）・深い凹段面
（１７）・凹所
（１８）・掴み操作手挿入口
（１９）・縁取りフランジ
（２０）（２１）・指先掛止面
（２２）・凹凸座
（２３）・固定具
（２４）（２６）・凸座
（２５）・係止爪受け入れ凹溝
（２７）（２８）・受圧傾斜面
（２９）・取付孔
（３０）・タッピングネジ逃し入れ凹溝
（３１）（３３）・引寄せ傾斜片
（３２）・遊合孔
（３４）・下穴
（３５）・回動操作工具
（３６）・取付脚板
（３７）（４０）・弾性係止爪
（３９）・アダプター
（Ａ）・引手
（Ｂ）・バック押え座板
（Ｄ）・引戸
（Ｆ）・フロント押え座金
（Ｇ）・コ字形溝
（Ｓ）・フロント押え座金の収納空間
（Ｔ）・引戸の厚み
（ｄ）・引手の幅
【図１】
2019070251.tif 000003
【図２】
2019070251.tif 000004
【図３】
2019070251.tif 000005
【図４】
2019070251.tif 000006
【図５】
2019070251.tif 000007
【図６】
2019070251.tif 000008
【図７】
2019070251.tif 000009
【図８】
2019070251.tif 000010
【図９】
2019070251.tif 000011
【図１０】
2019070251.tif 000012
【図１１】
2019070251.tif 000013
【図１２】
2019070251.tif 000014
【図１３】
2019070251.tif 000015
【図１４】
2019070251.tif 000016
【図１５】
2019070251.tif 000017
【図１６】
2019070251.tif 000018
【図１７】
2019070251.tif 000019
【図１８】
2019070251.tif 000020
【図１９】
2019070251.tif 000021
【図２０】
2019070251.tif 000022
【図２１】
2019070251.tif 000023
【図２２】
2019070251.tif 000024
【図２３】
2019070251.tif 000025
【図２４】
2019070251.tif 000026
【図２５】
2019070251.tif 000027
【図２６】
2019070251.tif 000028
【図２７】
2019070251.tif 000029
【図２８】
2019070251.tif 000030
【図２９】
2019070251.tif 000031
【図３０】
2019070251.tif 000032
【図３１】
2019070251.tif 000033
【図３２】
2019070251.tif 000034
【図３３】
2019070251.tif 000035
【図３４】
2019070251.tif 000036
【図３５】
2019070251.tif 000037
【図３６】
2019070251.tif 000038
【図３７】
2019070251.tif 000039
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
木質系引戸の木口面に切り欠かれたコ字形溝へ嵌め込み設置される引手であって、
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、左右対称な引寄せ傾斜片を備えた平・底面視のチャンネル形として、そのタッピングネジに遊合されるフロント押え座金と、上記引手本体ハーフセグメント同士の左右相互間隙を前方から施蓋するフロント化粧カバーとから成り、
上記左右対称な引寄せガイドハーフセグメントの両前面を上記フロント押え座金の両引寄せ傾斜片により加圧される受圧傾斜面として対応形成し、
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメント同士をその左右対称な軸線上へ自づと引き寄せ一体化して、全体的な組立固定状態となるように設定したことを特徴とする引戸用の引手。
【請求項２】
左右対称な一対の引寄せガイドハーフセグメントを引手本体ハーフセグメント同士の向かい合う内側面へ、上下２組付属一体化すると共に、
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させたことを特徴とする請求項１記載の引戸用の引手。
【請求項３】
木質系引戸の木口面に切り欠かれたコ字形溝へ嵌め込み設置される引手であって、
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、そのタッピングネジに遊合されるフロント押え座金と、同じくタッピングネジに螺合されるバック押え座板と、上記引手本体ハーフセグメント同士の左右相互間隙を前方から施蓋するフロント化粧カバーとから成り、
上記フロント押え座金とバック押え座板とを何れも左右対称な引寄せ傾斜片がある平・底面視のチャンネル形として、その前後位置関係での向かい合う形態に対応設置する一方、
上記左右対称な引寄せガイドハーフセグメントの両前面を上記フロント押え座金の両引寄せ傾斜片により加圧される受圧傾斜面として対応形成すると共に、
上記左右対称な引手本体ハーフセグメントの両背後面に、上記バック押え座板の両引寄せ傾斜片により加圧される受圧傾斜面を造形して、
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメントの前側同士をその左右対称な軸線上へ自づと引き寄せ一体化すると同時か又はその直後に、
上記バック押え座板の両引き寄せ傾斜片が両引手本体ハーフセグメントの受圧傾斜面を、その傾斜面と直交する方向から加圧する分力により、同じく引手本体ハーフセグメントの後側同士をその左右対称な軸線上へ自づと引き寄せ一体化して、全体的な組立固定状態となるように設定したことを特徴とする引戸用の引手。
【請求項４】
左右対称な一対の引寄せガイドハーフセグメントを引手本体ハーフセグメント同士の向かい合う内側面へ、上下２組付属一体化すると共に、
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させる一方、
両タッピングネジにおける引寄せガイドハーフセグメントよりも後側位置へ、１個のバック押え座板を螺合させたことを特徴とする請求項３記載の引戸用の引手。
【請求項５】
引手本体ハーフセグメントと引寄せガイドハーフセグメントを各々互いに同じ構成の亜鉛ダイカスト製品とし、その引手本体ハーフセグメントの内側面へ引寄せガイドハーフセグメントを各々かしめリベットや皿ビスなどの固定具によって取り付け固定したことを特徴とする請求項１又は３記載の引戸用の引手。
【請求項６】
フロント押え座金を引寄せガイドハーフセグメントとほぼ同じ背丈寸法として、引手本体ハーフセグメント同士の向かい合う相互間に区画形成されるフロント押え座金収納空間へ、振れ廻りや脱落のおそれなく収納セットしたことを特徴とする請求項１又は３記載の引戸用の引手。
【請求項７】
引手本体ハーフセグメントの外側面に浅い凹段面と、その浅い凹段面の底面中央部から更に陥没する深い凹段面とを形成すると共に、
上記浅い凹段面における底面の上部と下部を、その深い凹段面との相対的に内側面が陥没する凹所として、
その凹所の向かい合う左右一対によりフロント押え座金の収納空間を区画形成することを特徴とする請求項１又は３記載の引戸用の引手。
【請求項８】
引手本体ハーフセグメントの外側面に浅い凹段面と、その浅い凹段面の底面から更に陥没する深い凹段面とを形成して、その浅い凹段面の垂直な縁取り前面部を前方からの引手用掴み操作手挿入口として切り欠くと共に、
上記深い凹段面の垂直な縁取り前面部を引戸閉鎖時に、上記掴み操作手挿入口から戸袋へ挿入される引手用掴み操作手の指先掛止面として残存させる一方、
同じく深い凹段面と浅い凹段面との連続するフラットな垂直の縁取り後面部を、引戸開放時における引き操作手の指先掛止面として機能させるように設定したことを特徴とする請求項１又は３記載の引戸用の引手。
【請求項９】
引手本体ハーフセグメント同士の向かい合う内側面に左右対称な係止爪受け入れ凹溝の上下２組を設ける一方、
フロント化粧カバーの取付脚板から対応位置する上下２組として、後向きに切り起された左右対称な弾性係止爪を、上記係止爪受け入れ凹溝へ抜き差し自在に差し込み係止させて、
そのフロント化粧カバーにより引手本体ハーフセグメント同士の左右相互間隙を前方から施蓋したことを特徴とする請求項１又は３記載の引戸用の引手。
【請求項１０】
背後面に平・底面視の全体的なハ字形となる受圧傾斜面が造形された左右対称な一対の引手本体ハーフセグメントと、
前面に平・底面視の全体的な倒立ハ字形となる受圧傾斜面が形成された左右対称な一対の引寄せガイドハーフセグメントと、
その両引寄せガイドハーフセグメントの受圧傾斜面を前方から加圧できる左右対称な引寄せ傾斜片がある平・底面視の倒立ハ字形フロント押え座金と、
両引手本体ハーフセグメントの受圧傾斜面を後方から加圧できる左右対称な引寄せ傾斜面がある平・底面視のハ字形バック押え座板と、
両引手本体ハーフセグメント同士の左右相互間隙を前方から施蓋できるフロント化粧カバーとを用意し、
上記引寄せガイドハーフセグメントの上下２組を両引手本体ハーフセグメントの向かい合う内側面へ各々付属一体化させると共に、
両引手本体ハーフセグメントを向かい合わせて、その付属している引寄せガイドハーフセグメントの受圧傾斜面へ、前方から各々上下一対のフロント押え座金を跨がる状態に当てがう一方、その両引手本体ハーフセグメントの受圧傾斜面へ後方から１個のバック押え座板を跨がる状態に当てがって、
両引手本体ハーフセグメントの前方から各々上下一対のタッピングネジをフロント押え座金と、上記引寄せガイドハーフセグメント同士の左右相互間隙に通し込んで、その共通する１個の上記バック押え座板へ螺合させることにより、仮組み状態に保ち、
その両引手本体ハーフセグメントの仮組み状態から先ず上記タッピングネジの先端部とバック押え座板を、引戸の木口面に切り欠かれているコ字形溝の背後面へ、各々押し当てる如く位置決めして、
次にその位置決め状態から上記タッピングネジを前方から各々螺進操作してねじ込むことにより、そのタッピングネジに遊合しているフロント押え座金の引寄せ傾斜片が、両引寄せガイドハーフセグメントの受圧傾斜面をこれと直交する方向から各々加圧作用すると同時か、又はその直後にタッピングネジと螺合しているバック押え座板の引寄せ傾斜片が、両引手本体ハーフセグメントの受圧傾斜面をやはりこれと直交する方向から加圧作用して、両引手本体ハーフセグメントをその左右対称な軸線上へ自づと引き寄せ一体化し、
最後に両引手本体ハーフセグメント同士の左右相互間隙を、前方からフロント化粧カバーによって施蓋することを特徴とする引戸用引手の施工法。
【請求項１１】
１個のバック押え座板に上下一対のタッピングネジと対応位置する下穴を開口分布させておき、両引手本体ハーフセグメントの仮組み時に、その各タッピングネジの先端部により上記バック押え座板の下穴をタッピング加工して、螺合状態に保つことを特徴とする請求項１０記載の引戸用引手の施工法。
【手続補正２】
【補正対象書類名】明細書
【補正対象項目名】全文
【補正方法】変更
【補正の内容】
【発明の詳細な説明】
【技術分野】
【０００１】
本発明は木質系引戸の厚み変化に対応できる引手と、その引戸への便利な施工法に関する。
【背景技術】
【０００２】
木質系引戸の木口面に切り欠かれたコ字形溝へ嵌め込み設置される引手であって、しかもその引戸が戸袋へ完全な埋没状態に収納されても、これを確実に引き出せる摘まみ部又は押え部のある引手は、特許文献１〜３に記載されている。
【０００３】
そのうち、特許文献３に記載された引手の実施品は図３７（イ）（ロ）（ハ）（ニ）（ホ）から明白となるように、先付け固定用の第１引手本体（１）と後付け固定用の第２引手本体（２）とから成り、その第１引手本体（１）の後端部から内向き（裏向き）に張り出す取付座（３）が、引戸（Ｄ）の木口面に切り欠かれたコ字形溝（Ｇ）内へ左右何れか一方（Ｌ）から差し込まれた上、その背後面（４）へ３本の木ネジ（５）によって先付け固定されるようになっている。
【０００４】
そして、その後第１引手本体（１）の裏側面から内向きに突出する４本のロールピン（６）に対し、第２引手本体（２）の対応的な裏側面に開口分布する４個の差込み孔（７）が、左右何れか残る他方（Ｒ）から圧入されて、先の第１引手本体（１）へ後付け固定されるようになっているため、必要最少限度の部品からすばやく組み立て施工できる利点があると言える。尚、図３７の符号（８）は戸袋から引き出す時の手掛け面を備えた摘まみ部である。
【先行技術文献】
【特許文献】
【０００５】
【特許文献１】特開２０１４−１１８７０１号公報
【特許文献２】特開２００３−２７７７４号公報
【特許文献３】特許第４８４０２３１号公報
【発明の概要】
【発明が解決しようとする課題】
【０００６】
ところが、図３７（イ）（ロ）（ハ）（ニ）（ホ）に記載された引手の実施品では、先付け固定用の第１引手本体（１）に対して後付け固定用の第２引手本体（２）を圧入一体化するようになっており、その操作し直し不可能であるため、例えば引戸の厚み（Ｔ）が３３mmと３６mmとの２種ある場合、これに施工するための引手としても、これらと対応合致する厚み（Ｔ）が異なる２種を作成準備する必要があり、汎用性と量産性に劣る。
【０００７】
また、上記何れの厚み（Ｔ）に作成準備された引手であっても、木質系引戸（Ｄ）が経時的に収縮して、その厚み（Ｔ）の薄く変化した場合、その厚み（Ｔ）の変化に対応・調整することができない。
【０００８】
その引手が引戸（Ｄ）の左右（表裏）両側面から張り出したり、逆に沈没したりして、外観化粧効果を阻害するおそれがあり、その意味から施工上の高い精度を要求されることになるため、甚だ煩らわしい。
【０００９】
このような課題は、特許文献１、２に記載された引手や把手についても、全く同様に言える。
【課題を解決するための手段】
【００１０】
本発明はこのような課題の改良を目的としており、その目的を達成するために、請求項１では木質系引戸の木口面に切り欠かれたコ字形溝へ嵌め込み設置される引手であって、
【００１１】
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、左右対称な引寄せ傾斜片を備えた平・底面視のチャンネル形として、そのタッピングネジに遊合されるフロント押え座金と、上記引手本体ハーフセグメント同士の左右相互間隙を前方から施蓋するフロント化粧カバーとから成り、
【００１２】
上記左右対称な引寄せガイドハーフセグメントの両前面を上記フロント押え座金の両引寄せ傾斜片により加圧される受圧傾斜面として対応形成し、
【００１３】
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメント同士をその左右対称な軸線上へ自づと引き寄せ一体化して、全体的な組立固定状態となるように設定したことを特徴とする。
【００１４】
また、請求項２では左右対称な一対の引寄せガイドハーフセグメントを引手本体ハーフセグメント同士の向かい合う内側面へ、上下２組付属一体化すると共に、
【００１５】
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させたことを特徴とする。
【００１６】
請求項３では同じく木質系引戸の木口面に切り欠かれたコ字形溝へ嵌め込み設置される引手であって、
【００１７】
引手本体の左右対称なハーフセグメントと、その引手本体ハーフセグメント同士の向かい合う内側面に各々付属一体化された引寄せガイドの左右対称なハーフセグメントと、引戸の前方から上記引寄せガイドハーフセグメント同士の左右相互間隙を通じて、その引戸における上記コ字形溝の背後面へねじ込み固定されるタッピングネジと、そのタッピングネジに遊合されるフロント押え座金と、同じくタッピングネジに螺合されるバック押え座板と、上記引手本体ハーフセグメント同士の左右相互間隙を前方から施蓋するフロント化粧カバーとから成り、
【００１８】
上記フロント押え座金とバック押え座板とを何れも左右対称な引寄せ傾斜片がある平・底面視のチャンネル形として、その前後位置関係での向かい合う形態に対応設置する一方、
【００１９】
上記左右対称な引寄せガイドハーフセグメントの両前面を上記フロント押え座金の両引寄せ傾斜片により加圧される受圧傾斜面として対応形成すると共に、
【００２０】
上記左右対称な引手本体ハーフセグメントの両背後面に、上記バック押え座板の両引寄せ傾斜片により加圧される受圧傾斜面を造形して、
【００２１】
上記タッピングネジを引戸におけるコ字形溝の背後面へ前方から螺進操作するに連れて、そのフロント押え座金の両引寄せ傾斜片が両引寄せガイドハーフセグメントの受圧傾斜面を、その傾斜面と直交する方向から加圧する分力により、上記引手本体ハーフセグメントの前側同士をその左右対称な軸線上へ自づと引き寄せ一体化すると同時か又はその直後に、
【００２２】
上記バック押え座板の両引き寄せ傾斜片が両引手本体ハーフセグメントの受圧傾斜面を、その傾斜面と直交する方向から加圧する分力により、同じく引手本体ハーフセグメントの後側同士をその左右対称な軸線上へ自づと引き寄せ一体化して、全体的な組立固定状態となるように設定したことを特徴とする。
【００２３】
請求項４では左右対称な一対の引寄せガイドハーフセグメントを引手本体ハーフセグメント同士の向かい合う内側面へ、上下２組付属一体化すると共に、
【００２４】
その引寄せガイドハーフセグメント同士の左右相互間隙を通じて、引戸におけるコ字形溝の背後面へねじ込み固定されるタッピングネジも、上下一対の２本として、その各タッピングネジにおける引寄せガイドハーフセグメントよりも前側位置へ、フロント押え座金を遊合させる一方、
【００２５】
両タッピングネジにおける引寄せガイドハーフセグメントよりも後側位置へ、１個のバック押え座板を螺合させたことを特徴とする。
【００２６】
請求項５では引手本体ハーフセグメントと引寄せガイドハーフセグメントを各々互いに同じ構成の亜鉛ダイカスト製品とし、その引手本体ハーフセグメントの内側面へ引寄せガイドハーフセグメントを各々かしめリベットや皿ビスなどの固定具によって取り付け固定したことを特徴とする。
【００２７】
請求項６ではフロント押え座金を引寄せガイドハーフセグメントとほぼ同じ背丈寸法として、引手本体ハーフセグメント同士の向かい合う相互間に区画形成されるフロント押え座金収納空間へ、振れ廻りや脱落のおそれなく収納セットしたことを特徴とする。
【００２８】
請求項７では引手本体ハーフセグメントの外側面に浅い凹段面と、その浅い凹段面の底面中央部から更に陥没する深い凹段面とを形成すると共に、
【００２９】
上記浅い凹段面における底面の上部と下部を、その深い凹段面との相対的に内側面が陥没する凹所として、
【００３０】
その凹所の向かい合う左右一対によりフロント押え座金の収納空間を区画形成することを特徴とする。
【００３１】
請求項８では引手本体ハーフセグメントの外側面に浅い凹段面と、その浅い凹段面の底面から更に陥没する深い凹段面とを形成して、その浅い凹段面の垂直な縁取り前面部を前方からの引手用掴み操作手挿入口として切り欠くと共に、
【００３２】
上記深い凹段面の垂直な縁取り前面部を引戸閉鎖時に、上記掴み操作手挿入口から戸袋へ挿入される引手用掴み操作手の指先掛止面として残存させる一方、
【００３３】
同じく深い凹段面と浅い凹段面との連続するフラットな垂直の縁取り後面部を、引戸開放時における引き操作手の指先掛止面として機能させるように設定したことを特徴とする。
【００３４】
更に、請求項９では引手本体ハーフセグメント同士の向かい合う内側面に左右対称な係止爪受け入れ凹溝の上下２組を設ける一方、
【００３５】
フロント化粧カバーの取付脚板から対応位置する上下２組として、後向きに切り起された左右対称な弾性係止爪を、上記係止爪受け入れ凹溝へ抜き差し自在に差し込み係止させて、
【００３６】
そのフロント化粧カバーにより引手本体ハーフセグメント同士の左右相互間隙を前方から施蓋したことを特徴とする。
【００３７】
他方、請求項１０では引戸用引手の施工法として、背後面に平・底面視の全体的なハ字形となる受圧傾斜面が造形された左右対称な一対の引手本体ハーフセグメントと、
【００３８】
前面に平・底面視の全体的な倒立ハ字形となる受圧傾斜面が形成された左右対称な一対の引寄せガイドハーフセグメントと、
【００３９】
その両引寄せガイドハーフセグメントの受圧傾斜面を前方から加圧できる左右対称な引寄せ傾斜片がある平・底面視の倒立ハ字形フロント押え座金と、
【００４０】
両引手本体ハーフセグメントの受圧傾斜面を後方から加圧できる左右対称な引寄せ傾斜面がある平・底面視のハ字形バック押え座板と、
【００４１】
両引手本体ハーフセグメント同士の左右相互間隙を前方から施蓋できるフロント化粧カバーとを用意し、
【００４２】
上記引寄せガイドハーフセグメントの上下２組を両引手本体ハーフセグメントの向かい合う内側面へ各々付属一体化させると共に、
【００４３】
両引手本体ハーフセグメントを向かい合わせて、その付属している引寄せガイドハーフセグメントの受圧傾斜面へ、前方から各々上下一対のフロント押え座金を跨がる状態に当てがう一方、その両引手本体ハーフセグメントの受圧傾斜面へ後方から１個のバック押え座板を跨がる状態に当てがって、
【００４４】
両引手本体ハーフセグメントの前方から各々上下一対のタッピングネジをフロント押え座金と、上記引寄せガイドハーフセグメント同士の左右相互間隙に通し込んで、その共通する１個の上記バック押え座板へ螺合させることにより、仮組み状態に保ち、
【００４５】
その両引手本体ハーフセグメントの仮組み状態から先ず上記タッピングネジの先端部とバック押え座板を、引戸の木口面に切り欠かれているコ字形溝の背後面へ、各々押し当てる如く位置決めして、
【００４６】
次にその位置決め状態から上記タッピングネジを前方から各々螺進操作してねじ込むことにより、そのタッピングネジに遊合しているフロント押え座金の引寄せ傾斜片が、両引寄せガイドハーフセグメントの受圧傾斜面をこれと直交する方向から各々加圧作用すると同時か、又はその直後にタッピングネジと螺合しているバック押え座板の引寄せ傾斜片が、両引手本体ハーフセグメントの受圧傾斜面をやはりこれと直交する方向から加圧作用して、両引手本体ハーフセグメントをその左右対称な軸線上へ自づと引き寄せ一体化し、
【００４７】
最後に両引手本体ハーフセグメント同士の左右相互間隙を、前方からフロント化粧カバーによって施蓋することを特徴とする。
【００４８】
更に、請求項１１では１個のバック押え座板に上下一対のタッピングネジと対応位置する下穴を開口分布させておき、両引手本体ハーフセグメントの仮組み時に、その各タッピングネジの先端部によりバック押え座板の下穴をタッピング加工して、螺合状態に保つことを特徴とする。
【発明の効果】
【００４９】
請求項１の構成によれば、引手におけるコ字形溝の背後面へ、前方からタッピングネジ（木ネジ）をねじ込み固定すれば、その螺進するに連れてフロント押え座金の両引寄せ傾斜片により、引寄せガイドハーフセグメント同士と延いては引手本体ハーフセグメント同士を、その左右対称な軸線上へ自づと引き寄せ一体化して、引手自身の全体的な組立固定状態を得られると一挙同時に、その引戸に対する引手の取り付け施工も行える効果がある。
【００５０】
また、上記タッピングネジの螺進操作により一対の引手本体ハーフセグメントを、その左右対称な軸線上へ引き寄せ一体化すれば、引手の縁取りフランジが引戸の左右両側面に挟み付き密着することとなるため、その引戸の厚みに例えば３３mmと３６mmとの相違・変化があっても、更には木質系引戸が経年的に痩せて、その厚みの薄く収縮しても、常に優美な外観化粧効果を保つことができるのである。
【００５１】
その場合、請求項２の構成を採用するならば、左右対称な引寄せガイドハーフセグメントが上下２組あり、タッピングネジも上下一対の２本使用するようになっているため、そき引手自身の組立状態と引戸への取り付け施工状態をますます強固に安定化することができ、耐用性が向上する。
【００５２】
他方、請求項３の構成によれば、フロント押え座金の両引寄せ傾斜片（傾斜二等辺面）が左右対称な引寄せガイドハーフセグメントの両受圧傾斜面を、バック押え座板の両引寄せ傾斜片（傾斜二等辺面）が左右対称な引手本体ハーフセグメントの両受圧傾斜面を、各々その傾斜面と直交する方向から加圧して、その分力により引手本体ハーフセグメントの前側同士と後側同士を、何れもその左右対称な軸線上へ引き寄せ一体化するようになっているため、引手自身の組立とその引戸に対する取り付け施工とを、誰でも円滑に安定良く行え、その正確な完成状態を得られる効果がある。
【００５３】
その場合、特に請求項４の構成を採用するならば、上記左右対称な引寄せガイドハーフセグメントが上下２組あり、タッピングネジも上下一対の２本使用されるようになっているほか、その２本のタッピングネジがバック押え座板と螺合されるようになっているため、請求項３の上記効果を更に一層向上させることができる。
【００５４】
また、請求項５の構成を採用するならば、引手本体ハーフセグメントの左右一対や引寄せガイドハーフセグメントの左右一対を、共通する１個の金型から鋳造することができ、その亜鉛ダイカスト製品としての優れた量産効果を得られる。
【００５５】
請求項６の構成を採用するならば、フロント押え座金を引手本体ハーフセグメントから脱落したり、不正に振れ廻ったりしないように、そのタッピングネジへの通し込み遊合状態に仮組みすることができ、上記施工性の向上に役立つ。
【００５６】
請求項７の構成を採用するならば、引手本体ハーフセグメントの外側面に誰もが手掛けしやすい深い凹段面と、逆な内側面にフロント押え座金の収納空間を区画しやすい凹所とを、極めて合理的に形成できる効果がある。
【００５７】
請求項８の構成を採用するならば、引戸を通路や出入り口の閉鎖時、その戸袋から掴み出すに当り、引手本体ハーフセグメントの外側面における浅い凹段面の垂直な縁取り前面部に切り欠かれた掴み操作手挿入口へ、前方から挿入した掴み操作手の指先を誰でも、深い凹段面の縁取り前面部に残存する指先掛止面へ、容易・円滑に掛け止めて引戸を掴み出せる効果があり、利便性に優れる。
【００５８】
更に、請求項９の構成を採用するならば、左右対称な引手本体ハーフセグメントに上下２組設けられた係止爪受け入れ凹溝へ、フロント化粧カバーの取付脚板から後向きに張り出す弾性係止爪を、前方から抜き差し自在に差し込み係止せて、そのフロント化粧カバーにより引手本体ハーフセグメント同士の左右相互間隙を施蓋化粧できる効果がある。
【図面の簡単な説明】
【００５９】
【図１】本発明の実施形態に係る引手の斜面図である。
【図２】図１の正面図である。
【図３】図２の平面図である。
【図４】図２の背面図である。
【図５】図３の５−５線断面図である。
【図６】引手本体ハーフセグメントを抽出して示す側面図である。
【図７】図６の裏面図である。
【図８】図６の８−８線拡大断面図である。
【図９】図６の９−９線拡大断面図である。
【図１０】引寄せガイドハーフセグメントを抽出して示す側面図である。
【図１１】図１０の平面図である。
【図１２】図１０の正面図である。
【図１３】フロント押え座金を抽出して示す正面図である。
【図１４】図１３の平面図である。
【図１５】図１３の側面図である。
【図１６】バック押え座板を抽出して示す正面図である。
【図１７】図１６の平面図である。
【図１８】図１６の側面図である。
【図１９】フロント化粧カバーを抽出して示す正面図である。
【図２０】図１９の平面図である。
【図２１】図１９の側面図である。
【図２２】アダプターを抽出して示す正面図である。
【図２３】図２２の平面図である。
【図２４】図２２の２４−２４線断面図である。
【図２５】引戸に対する引手の施工順序を示す工程図である。
【図２６】図２５（ホ）を抽出して示す拡大図である。
【図２７】図２５（へ）を抽出して示す拡大図である。
【図２８】図２５（ト）を抽出して示す拡大図である。
【図２９】引手に対するフロント化粧カバーの取付工程を示す斜面図である。
【図３０】同じく取付状態を示す部分拡大正面図である。
【図３１】図３０の３１−３１線断面図である。
【図３２】図３０の３２−３2 線断面図である。
【図３３】厚みが厚い引戸用の引手に対するフロント化粧カバーの取付工程を示す斜面図である。
【図３４】同じく取付状態を示す部分拡大正面図である。
【図３５】図３４の３５−３５線断面図である。
【図３６】図３４の３６−３６線断面図である。
【図３７】従来の引手の施工順序を示す工程図である。
【発明を実施するための形態】
【００６０】
以下、図面に基いて本発明の好適な実施形態を詳述する。その本発明に係る引戸用の引手（Ａ）は図１〜５から明白なように、木質系引戸（Ｄ）の木口面に切り欠かれた側面視のコ字形溝（Ｇ）へ嵌め込み設置されるものとして、その全体的な引手本体（１０）となる左右一対の引手本体ハーフセグメント（１０Ｌ）（１０Ｒ）と、その引手本体ハーフセグメント（１０Ｌ）（１０Ｒ）同士の向かい合う内側面に付属一体化されて、全体的な引寄せガイド（１１）となる左右一対の引寄せガイドハーフセグメント（１１Ｌ）（１１Ｒ）と、引戸（Ｄ）の前方から上記引寄せガイドハーフセグメント（１１Ｌ）（１１Ｒ）同士の左右相互間隙を通じて、その引戸（Ｄ）における上記コ字形溝（Ｇ）の垂直な背後面（１２）へねじ込み固定されるタッピングネジ（木ネジ）（１３）（１３）と、そのタッピングネジ（１３）（１３）の頭部（１３ａ）（１３ａ）が存在する前側位置に遊合されるフロント押え座金（Ｆ）（Ｆ）と、同じくタッピングネジ（１３）（１３）の先端部（１３ｂ）（１３ｂ）が存在する後側位置に螺合されるバック押え座板（Ｂ）と、上記引手本体ハーフセグメント（１０Ｌ）（１０Ｒ）同士の左右相互間隙を前方から施蓋するフロント化粧カバー（１４）とを主要な構成部材として具備しており、その上記タッピングネジ（１３）（１３）の螺進操作によって引手（Ａ）自身の組立と、その引戸（Ｄ）に対する取り付け（施工）とを一挙同時に行えるようになっている。
【００６１】
上記主要な構成部材のうち、先ず引手本体（１０）について具体的に説明すると、これは互いに同じ構成の亜鉛ダイカスト製品である左右対称な一対の引手本体ハーフセグメント（半割り体）（１０Ｌ）（１０Ｒ）から形作られる。その引手本体ハーフセグメント（１０Ｌ）（１０Ｒ）は図６〜９に抽出して示す如く、上下方向（縦）に細長い側面視の長方形をなし、その外側面には浅い凹段面（１５）（１５）と、その底面の中央部から更に陥没する比較的狭小な深い凹段面（１６）（１６）とが形成されている。
【００６２】
その浅い凹段面（１５）（１５）と深い凹段面（１６）（１６）とは何れも上下方向（縦）に細長い側面視の長方形として、外向き開放状態にあることは言うまでもない。その浅い凹段面（１５）（１５）における底面の上部と下部は上記深い凹段面（１６）（１６）との相対的に内側面が陥没する凹所（１７）（１７）の上下対称な一対として、その内向き開放状態の向かい合う左右一対づつにより、フロント押え座金（Ｆ）（Ｆ）の後述する収納空間（Ｓ）（Ｓ）を区画形成できるようになっている。
【００６３】
上記浅い凹段面（１５）（１５）の垂直な縁取り前面部は引手（Ａ）を前方から掴む操作手の挿入口（１８）（１８）として切り欠かれている。（１９）（１９）はその縁取り前面部を切り欠いた結果として、上記浅い凹段面（１５）（１５）の残る３辺から上下方向と後方へ連続的に張り出す縁取りフランジであり、引戸（Ｄ）を左右（横）方向から挟むことができるようになっている。
【００６４】
そして、上記深い凹段面（１６）（１６）の垂直な縁取り前面部は図６、９から明白なように、上記掴み操作手の指先掛止面（２０）（２０）として機能するように言わば残存されており、その引戸（Ｄ）を図外の戸袋から掴み出して、図外の通路や出入り口を閉鎖する時に、その戸袋へ上記掴み操作手の挿入口（１８）（１８）から挿入する掴み操作手の指先を、安定良く掛け止めることができるようになっている。
【００６５】
尚、上記深い凹段面（１６）（１６）と浅い凹段面（１５）（１５）との垂直な縁取り後面部は、連続するフラットな指先掛止面（２１）（２１）として、引戸（Ｄ）を通路や出入り口の閉鎖状態から開放する時に、その引き操作手の指先を安定良く掛け止めることができるようになっている。
【００６６】
他方、上記引手本体ハーフセグメント（１０Ｌ）（１０Ｒ）における内側面の中途部からは図７、８のように、その凹所（１７）（１７）に向かって引寄せガイドハーフセグメント（１１Ｌ）（１１Ｒ）の嵌合用凹凸座（２２）（２２）が張り出されており、ここへ差し込み嵌合される引寄せガイドハーフセグメント（１１Ｌ）（１１Ｒ）が、複数のかしめリベットや皿ビスなどの固定具（２３）（２３）を介して固定一体化されるようになっている。
【００６７】
また、同じく引手本体ハーフセグメント（１０Ｌ）（１０Ｒ）における内側面の前端部からは、やはり凹所（１７）（１７）に向かってフロント化粧カバー（１４）の取り付け用となる断面ほぼ四角形の凸座（２４）（２４）が張り出されている。（２５）（２５）はその凸座（２４）（２４）同士の向かい合う頂面に設けられた係止爪受け入れ凹溝であり、フロント化粧カバー（１４）の後述する取付脚板から切り起された弾性係止爪や、そのフロント化粧カバー（１４）と別個な後述のアダプターから切り起された弾性係止爪が、その係止爪受け入れ凹溝（２５）（２５）へ抜き差し自在に差し込み係止されるようになっている。
【００６８】
更に、上記引手本体ハーフセグメント（１０Ｌ）（１０Ｒ）における内側面の後端部からは、斜め内向きにバック押え座板（Ｂ）の受け止め用となる断面ほぼ直角三角形の凸座（２６）（２６）が張り出されており、その凸座（２６）（２６）同士の向かい合う全体として平・底面視のハ字形をなす斜辺が、バック押え座板（Ｂ）の後述する引寄せ傾斜片によって加圧される受圧傾斜面（２７）（２７）となっている。
【００６９】
その場合、上記引手本体ハーフセグメント（１０Ｌ）（１０Ｒ）の前端部から張り出す凸座（２４）（２４）同士の向かい合う相互間隙は、タッピングネジ（１３）（１３）の出し入れ口として機能するほか、その前端部の凸座（２４）（２４）と中途部の上記凹凸座（２２）（２２）との前後相互間において、上記内側面の向かい合う凹所（１７）（１７）によりフロント押え座金（Ｆ）（Ｆ）の収納空間（Ｓ）（Ｓ）を区画形成している。
【００７０】
その収納空間（Ｓ）（Ｓ）はほぼ直方体形状をなし、ここに収納セットされるフロント押え座金（Ｆ）（Ｆ）は、その空間（Ｓ）（Ｓ）の高さにほぼ対応する背丈寸法（ｈ１）と、その左右相互間隙に対応する幅寸法（ｗ）とを備えた正面視の矩形で、しかも平・底面視の倒立ハ字形（チャンネル形）として、その収納空間（Ｓ）（Ｓ）へ収納セットされた状態にあるフロント押え座金（Ｆ）（Ｆ）が、タッピングネジ（１３）（１３）の通し込みを受ける前の準備段階において、いたずらにガタツキ遊動して、不正な方向や姿勢に傾斜したり、まして脱落したりしないようになっている。
【００７１】
次に、上記引手本体ハーフセグメント（１０Ｌ）（１０Ｒ）の引寄せガイド（１１）について言えば、これも図１０〜１２のような互いに同じ構成の亜鉛ダイカスト製品である左右対称な一対の引寄せガイドハーフセグメント（半割り体）（１１Ｌ）（１１Ｒ）から形作られる。その引寄せガイドハーフセグメント（１１Ｌ）（１１Ｒ）は上記引手本体ハーフセグメント（１０Ｌ）（１０Ｒ）の内側面から張り出す左右対称な一対の凹凸座（２２）（２２）へ、確実に安定良く差し込み嵌合された上、複数のかしめリベットや皿ビスなどの固定具（２３）（２３）によって固定一体化されている。
【００７２】
つまり、引寄せガイドハーフセグメント（１１Ｌ）（１１Ｒ）を受け止め嵌合する上記凹凸座（２２）（２２）は、左右対称な引手本体ハーフセグメント（１０Ｌ）（１０Ｒ）の内側面に上下一対づつとして張り出し形成されているため、その左右対称な凹凸座（２２）（２２）の上下一対づつに合計４個の引寄せガイドハーフセグメント（１１Ｌ）（１１Ｒ）が取り付け固定されることになる。
【００７３】
上記引寄せガイドハーフセグメント（１１Ｌ）（１１Ｒ）の前面はその向かい合う左右一対による全体的な平・底面視の倒立ハ字形をなす受圧傾斜面（２８）（２８）として造形されており、フロント押え座金（Ｆ）（Ｆ）の後述する引寄せ傾斜片によって加圧されるようになっている。
【００７４】
その場合、引寄せガイドハーフセグメント（１１Ｌ）（１１Ｒ）の前面をなす受圧傾斜面（２８）（２８）と、上記引手本体ハーフセグメント（１０Ｌ）（１０Ｒ）の背後面をなす受圧傾斜面（２７）（２７）とは、図３や図２８から確認できるように、その前者が全体的な平・底面視の倒立ハ字形として、後者が全体的な平・底面視のハ字形として、その前後位置関係での向かい合う状態に対応されている。その互いに逆向きの形態として配置されているのである。
【００７５】
（２９）（２９）は上記引寄せガイドハーフセグメント（１１Ｌ）（１１Ｒ）に開口分布された上下一対の取付孔であり、かしめリベットや皿ビスなどの固定具（２３）（２３）を受け入れる。（３０）（３０）は同じく引寄せガイドハーフセグメント（１１Ｌ）（１１Ｒ）における内面の中央部に設けられた円弧状のタッピングネジ逃し入れ凹溝であり、そのタッピングネジ逃し入れ凹溝（３０）（３０）同士の左右相互間隙に上記タッピングネジ（１３）（１３）が通し込まれることとなる。
【００７６】
フロント押え座金（Ｆ）（Ｆ）が引手本体ハーフセグメント（１０Ｌ）（１０Ｒ）の内側面に区画形成された直方体形状の収納空間（Ｓ）（Ｓ）へ、その不正な傾斜姿勢や脱落などのおそれなく収納セットされる旨を説明したが、そのフロント押え座金（Ｆ）（Ｆ）はアルミ押出材から図１３〜１５のような正面視の矩形であって、しかも左右対称の引寄せ傾斜片（傾斜二等辺面）（３１）（３１）を備えた平・底面視の倒立ハ字形（チャンネル形）に成形されており、その引寄せ傾斜片（３１）（３１）によって上記引寄せガイドハーフセグメント（１１Ｌ）（１１Ｒ）の対応的な受圧傾斜面（２８）（２８）を加圧し得るようになっている。（３２）（３２）はそのフロント押え座金（Ｆ）（Ｆ）の中央部に開口形成されたタッピングネジ（１３）（１３）の受け入れ遊合孔（バカ穴）である。
【００７７】
また、先に一言したバック押え座板（Ｂ）もアルミ押出材から図１６〜１８のような左右対称の引寄せ傾斜片（傾斜二等辺面）（３３）（３３）を備えた平・底面視のハ字形（チャンネル形）に成形されており、その引寄せ傾斜片（３３）（３３）によって上記引手本体ハーフセグメント（１０Ｌ）（１０Ｒ）の背後部に造形されている凸座（２６）（２６）の対応的な受圧傾斜面（２７）（２７）を加圧できるようになっている。（３４）（３４）はそのバック押え座板（Ｂ）に開口分布された上下一対の下穴であり、タッピングネジ（１３）（１３）によってタッピング加工されるようになっているが、予じめのネジ孔として加工しておいてもさしつかえない。
【００７８】
その場合、バック押え座板（Ｂ）はフロント押え座金（Ｆ）（Ｆ）と同じアルミ押出材から、そのフロント押え座金（Ｆ）（Ｆ）と同じ幅寸法（ｗ）と高さ（背丈）寸法（ｈ１）を有する正面視の矩形に作成して、量産効果の向上を図っても良いが、図示実施形態のようにフロント押え座金（Ｆ）（Ｆ）を上記引寄せガイドハーフセグメント（１１Ｌ）（１１Ｒ）とほぼ同じ短かい長さ（低い背丈）寸法（ｈ１）の上下一対として作成する一方、バック押え座板（Ｂ）を引手本体ハーフセグメント（１０Ｌ）（１０Ｒ）とほぼ同じ長い長さ（高い背丈）寸法（ｈ２）の１個として作成して、上下一対のタッピングネジ（１３）（１３）と螺合することにより、脱落や分解、振れ廻りなどのおそれがない安定な仮組み状態を得られるようにすると共に、引手本体ハーフセグメント（１０Ｌ）（１０Ｒ）同士の左右相互間隙をそのバック押え座板（Ｂ）によって、後方から施蓋できるように保つことが望ましい。
【００７９】
何れにしても、上記タッピングネジ（１３）（１３）は図２５〜２８に示す如く、引手本体ハーフセグメント（１０Ｌ）（１０Ｒ）における内側面の前端部から張り出すフロント化粧カバー取り付け用凸座（２４）（２４）同士の左右相互間隙から、上記収納空間（Ｓ）（Ｓ）に予じめ収納セットされているフロント押え座金（Ｆ）（Ｆ）の遊合孔（３２）（３２）と、同じく内側面の中途部に付属固定された引寄せガイドハーフセグメント（１１Ｌ）（１１Ｒ）同士の左右相互間隙と、更に内側面の後端部から張り出すバック押え座板受け止め用凸座（２６）（２６）同士の左右相互間隙を各々貫通して、ドライバーなどの回動操作工具（３５）により回動され、上記引戸（Ｄ）におけるコ字形溝（Ｇ）の背後面（１２）へねじ込み固定されることになる。
【００８０】
その際、バック押え座板（Ｂ）は引手本体ハーフセグメント（１０Ｌ）（１０Ｒ）における内側面の後端部から張り出す上記凸座（２６）（２６）の受圧傾斜面（２７）（２７）へ、その引寄せ傾斜片（３３）（３３）を後方から跨がるように当てがった廻り止め状態のもとで、上記タッピングネジ（１３）（１３）の先端部（１３ａ）（１３ａ）による下穴（３４）（３４）のタッピング加工を受け、そのタッピングネジ（１３）（１３）と螺合されることにより、脱落や分解、振れ廻りなどのおそれがない安定な仮組み状態に保たれる。
【００８１】
更に、上記フロント化粧カバー（１４）は引手本体（１０）とほぼ同じ長さ（背丈）寸法として、ステンレス鋼板から断面チャンネル形に折り曲げられており、図１９〜２１のように別個な取付脚板（３６）へ前方から、スポット溶接などによって被着一体化されている。
【００８２】
（３７）は上記引手本体ハーフセグメント（１０Ｌ）（１０Ｒ）における内側面の前端部から張り出すフロント化粧カバー取り付け用凸座（２４）（２４）と対応位置する関係として、そのフロント化粧カバー（１４）の上記取付脚板（３６）から後向きに切り起された左右対称な上下２組の弾性係止爪であり、上記凸座（２４）（２４）の向かい合う係止爪受け入れ凹溝（２５）（２５）へ前方から抜き差し自在に差し込み係止されることになる。
【００８３】
その取付脚板（３６）の係止された状態において、フロント化粧カバー（１４）が上記引手本体ハーフセグメント（１０Ｌ）（１０Ｒ）同士の向かい合う左右相互間隙を施蓋するのである。
【００８４】
引戸（Ｄ）における厚み（Ｔ）との関係において、上記引手本体ハーフセグメント（１０Ｌ）（１０Ｒ）同士の向かい合う左右相互間隙が広くなる場合には、図２２〜２４のような鋼板から張出しフランジ（３８）付きの四角なハット形に作成されたアダプター（３９）を用意し、そのアダプター（３９）の向かい合うフラットな側面から切り起された一対の弾性係止爪（４０）を、上記引手本体ハーフセグメント（１０Ｌ）（１０Ｒ）における凸座（２４）（２４）の向かい合う係止爪受け入れ凹溝（２５）（２５）へ、前方から抜き差し自在に差し込み係止させる。
【００８５】
そして、そのアダプター（３９）の残る向かい合うフラットな側面に開口形成された一対の角窓（４１）へ、その四角なハット形の内部から上記フロント化粧カバー（１４）における取付脚板（３６）の弾性係止爪（３７）を、やはり抜き差し自在に差し込み係止させて、そのフロント化粧カバー（１４）により引手本体ハーフセグメント（１０Ｌ）（１０Ｒ）の向かい合う左右相互間隙を施蓋すれば良い。
【００８６】
上記構成を備えた引手（Ａ）の施工（組立）法は、次のとおりである。
【００８７】
即ち、引戸（Ｄ）に対する上記引手（Ａ）の施工（組立）順序を図２５に基いて説明すると、その図２５（イ）（ロ）（ハ）は言わば予備工程を示しており、引手本体ハーフセグメント（１０Ｌ）（１０Ｒ）における内側面の中途部から張り出す凹凸座（２２）（２２）には、引寄せガイドハーフセグメント（１１Ｌ）（１１Ｒ）が付属一体化されているため、その付属状態にある引手本体ハーフセグメント（１０Ｌ）（１０Ｒ）の左右対称な一対を、図２５（イ）から（ロ）のように向かい合わせて、その内側面の凹所（１７）（１７）により区画形成されるフロント押え座金用収納空間（Ｓ）へ、フロント押え座金（Ｆ）を不正な姿勢や脱落などのおそれがない状態に収納セットする一方、同じく引手本体ハーフセグメント（１０Ｌ）（１０Ｒ）における内側面の後端部から張り出す凸座（２６）（２６）へ、その背後からバック押え座板（Ｂ）を跨がる状態に当てがいセットする。
【００８８】
そして、図２５（ロ）から（ハ）のように、前方からタッピングネジ（１３）をフロント押え座金（Ｆ）の遊合孔（バカ穴）（３２）と、引寄せガイドハーフセグメント（１１Ｌ）（１１Ｒ）の向かい合う左右相互間隙並びに上記凸座（２６）（２６）同士の向かい合う左右相互間隙に通し込み、そのタッピングネジ（１３）の先端部（１３ａ）によりバック押え座板（Ｂ）の下穴（３４）をタッピング加工して、そのバック押え座板（Ｂ）がタッピングネジ（１３）から分解・脱落したり、振れ廻ったりしない安定な仮組み状態に保つ。
【００８９】
このような予備の仮組みは生産工場において行い、その言わばバラバラにならない状態として梱包し、出荷することが好ましいが、その分解状態での出荷後施工する前に、その施工業者が仮組みを行ってもさしつかえない。
【００９０】
上記した予備の仮組み状態では、引手本体ハーフセグメント（１０Ｌ）（１０Ｒ）から張り出す縁取りフランジ（１９）（１９）同士の向かい合う開口幅（引手の幅）（ｄ）が、引戸（Ｄ）の厚み（Ｔ）よりも広大な寸法になっており、その引手本体ハーフセグメント（１０Ｌ）（１０Ｒ）同士は或る程度の左右相互間隙（ｃ）を保つ離隔状態にある。
【００９１】
今、上記引戸（Ｄ）の厚み（Ｔ）を一例である３３mmとして、これに引手（Ａ）を取り付け施工するに当っては、先ず図２５（ハ）のような仮組み状態にあるタッピングネジ（１３）を、前方から回動操作工具（３５）により緩める方向へ回動して、その先端部（１３ａ）をこれからバック押え座板（Ｂ）が抜け落ちない程度まで、一旦前方へ螺退させた上、図２５（ニ）のようにそのタッピングネジ（１３）の先端部（１３ａ）とバック押え座板（Ｂ）を、引戸（Ｄ）におけるコ字形溝（Ｇ）の垂直な背後面（１２）へ押し当てる如く位置決めする。
【００９２】
そして、その図２５（ニ）の位置状態から同図（ホ）のように、上記タッピングネジ（１３）をやはり前方から締める方向へ回動して、後方へ螺進操作する。そうすれば、図２６、２７の拡大図に示す如く、その後方（Ｐ）への螺進作用に連れて、タッピングネジ（１３）に遊合されているフロント押え座金（Ｆ）の引寄せ傾斜片（傾斜二等辺面）（３１）（３１）が、引手本体ハーフセグメント（１０Ｌ）（１０Ｒ）に付属一体化されている引寄せガイドハーフセグメント（１１Ｌ）（１１Ｒ）へ跨がる状態となって、その引寄せガイドハーフセグメント（１１Ｌ）（１１Ｒ）の受圧傾斜面（２８）（２８）をこれと直交する方向から加圧作用し、その分力（Ｚ）（Ｚ）により引寄せガイドハーフセグメント（１１Ｌ）（１１Ｒ）と延いては引手本体ハーフセグメント（１０Ｌ）（１０Ｒ）の就中前側が、図２５（ヘ）やその拡大図である図２７のように、その左右対称な軸線上へ自づと引き寄せ一体化される。
【００９３】
また、前方から引手本体ハーフセグメント（１０Ｌ）（１０Ｒ）の上記凸座（２６）（２６）により押圧されたバック押え座板（Ｂ）が、上記引戸（Ｄ）におけるコ字形溝（Ｇ）の背後面（１２）に受け止められ、その全然遊動しないように拘束された固定状態のもとで、タッピングネジ（１３）を更に後方（Ｐ）へ強く螺進操作すると、上記フロント押え座金（Ｆ）との言わば逆向き形態にあるバック押え座板（Ｂ）の引寄せ傾斜片（傾斜二等辺面）（３３）（３３）が、図２７に示す如く、引手本体ハーフセグメント（１０Ｌ）（１０Ｒ）の背後部にある凸座（２６）（２６）の受圧傾斜面（２７）（２７）を逆な後方から加圧することになり、その受圧傾斜面（２７）（２７）をこれと直交する方向から押圧作用する分力（Ｚ）（Ｚ）によって、上記引手本体ハーフセグメント（１０Ｌ）（１０Ｒ）の就中後側もその左右対称な軸線上へ自づと引き寄せ一体化されるのである。
【００９４】
尚、バック押え座板（Ｂ）の引寄せ傾斜片（３３）（３３）によって引手本体ハーフセグメント（１０Ｌ）（１０Ｒ）の後側を引き寄せる作用は、フロント押え座金（Ｆ）の引寄せ傾斜片（３１）（３１）によって引手本体ハーフセグメント（１０Ｌ）（１０Ｒ）の前側を引き寄せる作用と同時に行われることもある。
【００９５】
図２５（ヘ）と図２７は上記引手本体ハーフセグメント（１０Ｌ）（１０Ｒ）の引き寄せ完了状態を示しており、この状態ではその引手本体ハーフセグメント（１０Ｌ）（１０Ｒ）から張り出す縁取りフランジ（１９）（１９）が、引戸（Ｄ）を左右（横）方向から挟む如くその左右両側面に密着することとなる。これを換言すれば、引手本体ハーフセグメント（１０Ｌ）（１０Ｒ）の縁取りフランジ（１９）（１９）が引戸（Ｄ）の左右両側面に挟み付き密着するまで、タッピングネジ（１３）を後方（Ｐ）へ螺進操作すれば良いのである。
【００９６】
また、引手本体ハーフセグメント（１０Ｌ）（１０Ｒ）の仮組み当初において、その左右相互間に存在していた間隙（ｃ）は、図２５（へ）の引き寄せ完了時に狭小となるが、その前方へ見苦しく露呈することに変りはない。そのため、最後に図２５（ヘ）の状態から上記タッピングネジ（１３）の回動操作工具（３５）を前方へ抜き出して、その引手本体ハーフセグメント（１０Ｌ）（１０Ｒ）における内側面の前端部から張り出す凸座（２４）（２４）同士の向かい合う係止爪受け入れ凹溝（２５）（２５）へ、別個なフロント化粧カバー（１４）の取付脚板（３６）から後向きに切り起されている弾性係止爪（３７）（３７）を、図２５（ト）や図２８〜３２のように前方から差し込み係止させて、そのフロント化粧カバー（１４）により引手本体ハーフセグメント（１０Ｌ）（１０Ｒ）同士の左右相互間隙（ｃ）を施蓋するのである。
【００９７】
図示実施形態の場合、左右対称な引手本体ハーフセグメント（１０Ｌ）（１０Ｒ）の各個における外側面の中央部が、外向き開放する深い凹段面（１６）（１６）として陥没しており、その上部と下部が逆な内側面の内向きに開放する凹所（１７）（１７）の上下一対として、相対的に陥没している。
【００９８】
そして、その内側面における上下一対の凹所（１７）（１７）にフロント化粧カバー取り付け用凸座（２４）（２４）と引寄せガイドハーフセグメント嵌合用凹凸座（２２）（２２）とが各々設けられており、その凹凸座（２２）（２２）に付属固定された引寄せガイドハーフセグメント（１１Ｌ）（１１Ｒ）と、上記凸座（２４）（２４）との前後相互間が、フロント押え座金（Ｆ）の収納空間（Ｓ）として区画形成されていると共に、その空間（Ｓ）に収納セットされたフロント押え座金（Ｆ）が、タッピングネジ（１３）と遊合するようになっている。
【００９９】
つまり、左右対称な引手本体ハーフセグメント（１０Ｌ）（１０Ｒ）の向かい合う凹所（１７）（１７）により区画形成されるフロント押え座金用収納空間（Ｓ）は上下一対あり、その収納空間（Ｓ）に収納セットされるフロント押え座金（Ｆ）と、これに遊合されるタッピングネジ（１３）も上下一対づつあるため、図２５（ハ）の予備的な引手（Ａ）の仮組み状態から、図２５（ヘ）や図２７の引き寄せ完了するまでの一連の操作は、その上下一対の１回づつ合計２回行われることになり，その後フロント化粧カバー（１４）が取り付けられることは、言うまでもない。
【０１００】
図２８は図２５（ト）の拡大図、図３０は図２８の正面図、図３１、３２は図３０の３１−３１線断面図と３２−３２線断面図であって、上記厚み（Ｔ）が３３mmの引戸（Ｄ）に対する引手（Ａ）の取り付け（施工）状態を示しているが、これと対応する図３４〜３６に、厚み（Ｔ）が例えば３６mmの引戸（Ｄ）に対する同じ引手（Ａ）の取り付け（施工）状態を示す。
【０１０１】
その図３０〜３２と図３４〜３６との対比から明白なように、引戸（Ｄ）の厚み（Ｔ）が厚くなる程、その引き寄せ完了状態における引手本体ハーフセグメント（１０Ｌ）（１０Ｒ）同士の左右相互間隙（ｃ）は広くなるが、そのフロント押え座金（Ｆ）の引寄せ傾斜片（３１）（３１）が引寄せガイドハーフセグメント（１１Ｌ）（１１Ｒ）の受圧傾斜面（２８）（２８）を、バック押え座板（Ｂ）の引寄せ傾斜片（３３）（３３）が引手本体ハーフセグメント（１０Ｌ）（１０Ｒ）における凸座（２６）（２６）の受圧傾斜面（２７）（２７）を、各々何れもその受圧傾斜面（２８）（２８）（２７）（２７）と直交する方向から加圧する分力（Ｚ）（Ｚ）によって、左右対称な軸線上へ自づと引き寄せ一体化することができるため、その同じ構成の引手（Ａ）を厚み（Ｔ）の厚く又は薄く相違・変化する引戸（Ｄ）に対して、支障なく適用し得る汎用性がある。
【０１０２】
引手（Ａ）の取り付け使用中にある木質系引戸（Ｄ）が経年的に収縮して、その厚み（Ｔ）の薄く変化した場合には、その引手（Ａ）から上記フロント化粧カバー（１４）を一旦取りはずして、前方から上記タッピングネジ（木ネジ）（１３）（１３）を増し締めすれば良い。そうすれば、その引手（Ａ）の縁取りフランジ（１９）（１９）が引戸（Ｄ）の左右両側面に挟み付き密着するため、再度取り付けるフロント化粧カバー（１４）とも相俟って、その優れた外観化粧効果を維持することができる。
【０１０３】
上記厚み（Ｔ）が３６mmの比較的厚い引戸（Ｄ）に対する引手（Ａ）の施工状態では、最後に別途用意されているアダプター（３９）の弾性係止爪（４０）を、引手本体ハーフセグメント（１０Ｌ）（１０Ｒ）におけるフロント化粧カバー取付け用凸座（２４）（２４）の向かい合う係止爪受け入れ凹溝（２５）（２５）へ、図３３〜３６のように前方から差し込み係止させた上、そのアダプター（３９）の角窓（４１）へ引き続き上記フロント化粧カバー（１４）の取付脚板（３６）から張り出す弾性係止爪（３７）を、やはり前方から差し込み係止させて、そのフロント化粧カバー（１４）により引手本体ハーフセグメント（１０Ｌ）（１０Ｒ）の左右相互間隙（ｃ）を施蓋するのである。
【０１０４】
何れにしても、上記したようにタッピングネジ（１３）を前方から螺進操作して、引手本体ハーフセグメント（１０Ｌ）（１０Ｒ）をその左右対称な軸線上へ引き寄せ一体化すれば、その引手（Ａ）としての全体的な組立固定状態を達成できると一挙同時に、その引手（Ａ）を引戸（Ｄ）のコ字形溝（Ｇ）へ嵌め込み設置できる施工も行えるのである。
【０１０５】
また、引手本体ハーフセグメント（１０Ｌ）（１０Ｒ）の左右対称な一対と、引寄せガイドハーフセグメント（１１Ｌ）（１１Ｒ）の左右対称な一対は、その何れも互いに同じ構成として、共通する１個の金型から鋳造できる亜鉛ダイカスト製品であるため、引手（Ａ）の量産性と施工性に著しく優れる。
【０１０６】
更に言えば、左右対称な引手本体ハーフセグメント（１０Ｌ）（１０Ｒ）における外側面の中央部が深い凹段面（１６）（１６）として陥没しており、その上部と下部が逆な内側面の相対的に陥没する凹所（１７）（１７）の上下一対づつとして振り分け配置されているため、引戸（Ｄ）を戸袋から掴み出す操作手の指先を、その深い凹段面（１６）（１６）の上記指先掛止面（２０）（２０）へ誰でも容易・確実に掛け止め使用することができる。
【０１０７】
しかも、その上下一対づつの凹所（１７）（１７）には嵌合用凹凸座（２２）（２２）を介して、引寄せガイドハーフセグメント（１１Ｌ）（１１Ｒ）が付属固定されており、その引寄せガイドハーフセグメント（１１Ｌ）（１１Ｒ）を直接引き寄せるフロント押え座金（Ｆ）（Ｆ）と、これに通し込み遊合されるタッピングネジ（１３）（１３）も各々上下一対づつ設置されているため、引手（Ａ）自身の高精度な組立状態を得られ、その引手（Ａ）を引戸（Ｄ）へ強固に安定良く取り付けることができるのであり、耐用性にも著しく優れる。
【符号の説明】
【０１０８】
（１０）・引手本体
（１０Ｌ）（１０Ｒ）・引手本体ハーフセグメント
（１１）・引寄せガイド
（１１Ｌ）（１１Ｒ）・引寄せガイドハーフセグメント
（１２）・背後面
（１３）・タッピングネジ
（１３ａ）・頭部
（１３ｂ）・先端部
（１４）・フロント化粧カバー
（１５）・浅い凹段面
（１６）・深い凹段面
（１７）・凹所
（１８）・掴み操作手挿入口
（１９）・縁取りフランジ
（２０）（２１）・指先掛止面
（２２）・凹凸座
（２３）・固定具
（２４）（２６）・凸座
（２５）・係止爪受け入れ凹溝
（２７）（２８）・受圧傾斜面
（２９）・取付孔
（３０）・タッピングネジ逃し入れ凹溝
（３１）（３３）・引寄せ傾斜片
（３２）・遊合孔
（３４）・下穴
（３５）・回動操作工具
（３６）・取付脚板
（３７）（４０）・弾性係止爪
（３９）・アダプター
（Ａ）・引手
（Ｂ）・バック押え座板
（Ｄ）・引戸
（Ｆ）・フロント押え座金
（Ｇ）・コ字形溝
（Ｓ）・フロント押え座金の収納空間
（Ｔ）・引戸の厚み
（ｄ）・引手の幅
【手続補正書】
【提出日】平成29年11月2日(2017.11.2)
【手続補正１】
【補正対象書類名】図面
【補正対象項目名】図１
【補正方法】変更
【補正の内容】
【図１】
2019070251.tif 000040
【手続補正２】
【補正対象書類名】図面
【補正対象項目名】図２６
【補正方法】変更
【補正の内容】
【図２６】
2019070251.tif 000041
【手続補正３】
【補正対象書類名】図面
【補正対象項目名】図２７
【補正方法】変更
【補正の内容】
【図２７】
2019070251.tif 000042
【手続補正４】
【補正対象書類名】図面
【補正対象項目名】図２８
【補正方法】変更
【補正の内容】
【図２８】
2019070251.tif 000043
【手続補正５】
【補正対象書類名】図面
【補正対象項目名】図３３
【補正方法】変更
【補正の内容】
【図３３】
2019070251.tif 000044